(57)【要約】【課題】扉体の背面側に設けられる部品・装置類のメンテナンスや交換等の作業性向上を図る。【解決手段】遊技機において、ドアブロック４は前扉体１１と内枠１２とを有しており、前扉体１１には視認窓２１が設けられている。また、内枠１２には、リブ１０６の先端部から後方に延びるようにして上下一対の軸金具１１０，１１１が所定間隔を隔てて取り付けられている。この軸金具１１０，１１１は、面替えブロック６や払出ブロック７を回動可能に支持するための金具部材である。【選択図】      図８
2006346491.tif 000002
【特許請求の範囲】
【請求項１】
遊技機前方に回動可能に設けられた扉体と、
絵柄を可変表示する絵柄表示装置と、
遊技媒体として使用される遊技球を払い出すための遊技球払出機構と、を備え、
前記絵柄表示装置の表示絵柄により決まる成立役に応じて前記遊技機払出機構によって遊技球の払出を実行する遊技機において、
前記絵柄表示装置と該絵柄表示装置を搭載するベース部材とを含んで絵柄表示ユニットを構成するとともに、前記遊技球払出機構と該払出機構を搭載するベース部材とを含んで払出ユニットを構成し、前記扉体の背面側には前記各ユニットを各々回動可能であってかつ同軸に支持するための支持手段を設けたことを特徴とする遊技機。
【発明の詳細な説明】
【技術分野】
【０００１】
本発明は、遊技機に関するものである。
【背景技術】
【０００２】
遊技機の一種として、複数の図柄を外周面に付したリール装置を備え、遊技者による始動操作に伴いリール装置の回転（図柄の可変表示）を開始するとともに、同じく遊技者による停止操作に伴いリール装置の回転を停止させるようにしたスロットマシン（回胴遊技機）が知られている。該スロットマシンでは、遊技媒体としてメダルを用いており、所定の有効ラインに表示されるリール装置の停止図柄が所定の小役成立図柄に合致すると、都度の成立役に対応して所定枚数のメダルが払い出される。また、リール装置の停止図柄が特定図柄である場合に、例えばビッグボーナスゲームのような遊技者に有利な所定のゲーム（特別遊技状態）が発生する。
【０００３】
また近年、メダルの代わりにパチンコ機で使用される遊技球を用いて上記スロットマシンに似通った遊技を行うことのできる球使用回胴遊技機が考えられている（例えば、特許文献１参照）。かかる遊技機では、所定数の遊技球が取り込まれた後に始動操作が行われることでリール装置の回転（表示装置における図柄の可変表示）が開始される。そして、リール装置の停止図柄が小役成立図柄に合致すると、都度の成立役に対応して所定個数の遊技球が払い出される。かかる遊技機をスロットマシンに代えて使用すれば、パチンコホール等の遊技ホールにおいて遊技球をパチンコ機と共通の遊技媒体として取り扱うことができるとともにスロットマシンの遊技性を維持することができる。またこの場合、パチンコ機とスロットマシンとが混在している現在の遊技ホールにおいて多く見られる、メダルと遊技球との別個の取扱による設備上の負担や遊技機設置場所の制約といった問題を解消し得るし、パチンコ機の島に当該遊技機を設置したりする等の柔軟性が生じる利点がある。
【０００４】
上記遊技球使用の回胴遊技機は、遊技者により操作される各種操作部材、リール装置、補助的な演出に用いられる液晶表示装置やランプ類などの補助演出装置、遊技球の払出を行う払出装置、これら各装置（リール装置、補助演出装置、払出装置など）を制御するための複数の制御装置といった部品・装置類を具備しており、これらが一体的に搭載されて構成されている。また、パチンコ島に設置される遊技機は、パチンコ機と同様の外枠（一般に木枠ともいう）を有しており、その外枠に対して回動可能に扉体が取り付けられている。そして、前述の各種操作部材が扉体の前面側に設けられ、リール装置、補助演出装置、払出装置、各種制御装置などが扉体の背面側に設けられている。
【０００５】
本遊技機を設置した遊技ホール等では扉体が開放され、その状態で、扉体の背面側に取り付けられた部品・装置類（リール装置、補助演出装置、払出装置、各種制御装置など）のメンテナンスや交換作業等が行われる。かかる場合、メンテナンスや交換等の作業性を向上させることのできる構成が要望されている。
【特許文献１】特開２００１−１１２９２２号公報
【発明の開示】
【発明が解決しようとする課題】
【０００６】
本発明は、扉体の背面側に設けられる部品・装置類のメンテナンスや交換等の作業性向上を図ることができる遊技機を提供することを目的とするものである。
【課題を解決するための手段】
【０００７】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００８】
手段１．遊技機前方に回動可能に設けられた扉体（ドアブロック４）と、
絵柄を可変表示する絵柄表示装置（リール装置５０３）と、
遊技媒体として使用される遊技球を払い出すための遊技球払出機構（払出機構６０２）と、を備え、
前記絵柄表示装置の表示絵柄により決まる成立役に応じて前記遊技機払出機構によって遊技球の払出を実行する遊技機において、
前記絵柄表示装置と該絵柄表示装置を搭載するベース部材（ベース板５０２）とを含んで絵柄表示ユニット（面替えブロック６）を構成するとともに、前記遊技球払出機構と該払出機構を搭載するベース部材（裏カバー部材６０１）とを含んで払出ユニット（払出ブロック７）を構成し、前記扉体の背面側には前記各ユニットを各々回動可能に同軸支持するための支持手段（軸受け部１１０ａ，１１０ｂ，１１１ａ，１１１ｂ）を設けたことを特徴とする遊技機。
【０００９】
手段１の遊技機では、遊技に際し絵柄表示装置によって絵柄が可変表示され、その都度の表示絵柄（停止絵柄により決まる成立役）に応じて遊技球払出機構によって遊技媒体としての遊技球の払出が行われる。また、本遊技機では、絵柄表示装置と該絵柄表示装置を搭載するベース部材とを含んで絵柄表示ユニットが構成されるとともに、遊技球払出機構と該払出機構を搭載するベース部材とを含んで払出ユニットが構成されており、扉体の背面側には、前記各ユニットを各々回動可能であってかつ同軸に支持するための支持手段が設けられている。
【００１０】
上記構成によれば、絵柄表示装置を有する絵柄表示ユニットと、遊技球払出機構を有する払出ユニットとが各々個別に回動可能となっているため、これら各ユニットを各々回動させることで各ユニットに対するメンテナンス作業等を容易に行うことができる。また、絵柄表示ユニットと払出ユニットとが支持手段により同軸に支持されているため、それら各ユニットを各々個別に回動（開閉動作）させることができることに加え、両ユニットを一体化した状態でもその一体物を無理なく回動（開閉動作）させることができるようになる。したがって、種々の作業が行われる場合においてより一層好都合なものとなる。以上により、扉体の背面側に設けられる部品・装置類のメンテナンスや交換等の作業性向上を図ることができる。
【００１１】
手段２．手段１において、前記絵柄表示ユニット用の支持手段と前記払出ユニット用の支持手段とを両ユニットで共用できる支持金具にて構成したことを特徴とする遊技機。
【００１２】
手段２によれば、絵柄表示ユニット及び払出ユニットを両ユニットで共用可能な支持金具にて支持する構成としたため、各ユニットの支持手段をそれぞれ個別に設ける場合に比して構成の簡素化が可能となる。またこの場合、支持金具をアースすることで、両ユニットをまとめてアース処置することが可能となる。その点でも有利な構成となる。
【００１３】
手段３．手段１又は手段２において、外枠（外枠２）の左右何れか一方側に前記扉体を回動可能に支持するための扉支持手段（支持金具９）を備え、前記絵柄表示ユニットと前記払出ユニットとを各々支持するための前記支持手段を、本遊技機の左右両側のうち前記扉支持手段と同じ側に設けたことを特徴とする遊技機。
【００１４】
手段３によれば、外枠に対して扉体が回動（開閉動作）される側と、扉体に対して絵柄表示ユニットや払出ユニットが回動（開閉動作）される側とが同じとなる。そのため、それらの回動方向が互いに異なる構成に比して、各部材を開放させた状態でメンテナンス作業等を行う際の作業性が良好なものとなる。
【００１５】
手段４．手段１乃至手段３のいずれかにおいて、前記絵柄表示ユニットを前側、前記払出ユニットを後側としてこれら各ユニットを前記扉体の背面側に重ねて配する構成とし、前記絵柄表示ユニット用の支持手段（軸受け部１１０ｂ，１１１ａ）を間に挟むようにして前記払出ユニット用の支持手段（軸受け部１１０ａ，１１１ｂ）を配置したことを特徴とする遊技機。
【００１６】
手段４によれば、前側の絵柄表示ユニットに被せるようにして後側の払出ユニットを配置する構成であっても、各ユニットの回動（開閉動作）を実現するための構成が容易に具現できる。より具体的には、各ユニットの支持手段としてそれぞれ複数箇所（例えば上下２カ所）に支持部を設け、絵柄表示ユニット用の支持部を間に挟むようにして払出ユニット用の支持部を配置すると良い。
【００１７】
手段５．手段４において、前記払出ユニットには、前記絵柄表示ユニットの絵柄表示装置を覆うためのカバー部材（保護カバー部６０４）を設けたことを特徴とする遊技機。
【００１８】
手段５によれば、絵柄表示装置がカバー部材によって覆われ、ゴミ等の侵入や絵柄表示装置に対する不正行為等が抑制できる。かかる構成において、上記のとおり各ユニットの支持手段を構成することにより、各ユニットの回動（開閉動作）を実現するための構成が容易に具現できる。
【００１９】
手段６．手段１乃至手段５のいずれかにおいて、前記絵柄表示ユニット用の支持手段の形態と、前記払出ユニット用の支持手段の形態とを各々異なるものとしたことを特徴とする遊技機。
【００２０】
手段６によれば、絵柄表示ユニット用の支持手段と払出ユニット用の支持手段とが近接位置に設けられたとしても、各支持部にどのユニットを組み付ければよいかが容易に分かるようになる。したがって、各ユニットの組付の作業性が良好なものとなる。
【００２１】
手段７．軸受け部材と軸部材との組み合わせにより前記絵柄表示ユニットや前記払出ユニットを前記扉体に回動可能に支持する構成において、前記絵柄表示ユニットと前記払出ユニットの前記各支持手段として一方に軸受け部材を設けるとともに、他方に軸部材を設けたことを特徴とする手段６に記載の遊技機。
【００２２】
手段７によれば、軸受け部材と軸部材との組み合わせにより絵柄表示ユニットや払出ユニットを扉体に回動可能に支持する比較的簡易な構成において、各支持部にどのユニットを組み付ければよいかが容易に分かるようになり、各ユニットの組付の作業性が良好なものとなる。
【００２３】
手段８．手段１乃至手段７のいずれかにおいて、前記扉体は、前記絵柄表示装置の絵柄を視認可能とする窓部（視認窓２１）を有するとともに当該扉体の前面意匠面を構成する前扉部材（前扉体１１）と、該前扉部材の背面側に取着され比較的高い剛性を有する扉枠部材（内枠１２）とを有し、前記扉枠部材に、前記各支持手段を設けたことを特徴とする遊技機。
【００２４】
手段８によれば、比較的高い剛性を有する扉枠部材に前述の各支持手段が設けられるため、絵柄表示ユニットや払出ユニットを安定状態で保持できる。なお、扉枠部材をアルミニウム等の金属材料にて構成したり、或いはリブ構造としたりすることにより、当該扉枠部材の高剛性化が実現できる。
【００２５】
手段９．手段１乃至手段８のいずれかにおいて、前記絵柄表示ユニットと前記払出ユニットとに設けた前記各支持手段は、それら各ユニットを各々着脱自在に支持するものであることを特徴とする遊技機。
【００２６】
手段９によれば、絵柄表示ユニットと払出ユニットとが着脱自在となっており、これら各ユニットを装着した状態、又は取り外した状態でのメンテナンス作業等がいずれも可能となる。絵柄表示ユニットや払出ユニットは工具等を用いなくとも扉体に装着、及び扉体から離脱できるようになっている（ここではこれを着脱自在といっている）。
【００２７】
手段１０．手段１乃至手段９のいずれかにおいて、前記絵柄表示装置による絵柄の変動態様や毎回の遊技の進行を管理する主制御装置（主制御装置５０５）と、画像表示などにより遊技の補助演出を実施する補助演出装置（液晶表示装置５０４）と、該補助演出装置を制御する補助制御装置（表示制御装置５０６）とを備え、これら主制御装置、補助演出装置及び補助制御装置を前記絵柄表示ユニットに搭載したことを特徴とする遊技機。
【００２８】
手段１０によれば、絵柄表示ユニットとして、絵柄表示装置に加え、主制御装置、補助演出装置及び補助制御装置を一体的に搭載したため、これら各装置をひとまとめにして交換作業等を行うことができる。この場合、絵柄表示ユニットを交換ユニットとすることで、例えば遊技ホール等における機種入替時には、遊技機の機種毎に固有となる構成要素をそれ以外の要素（扉体や払出機構等）と区別してまとめて交換できる。故に、絵柄表示ユニットを交換することで遊技機の機種入替を容易に実施することが可能となる。
【００２９】
なお、補助演出装置には、画像表示を行う表示装置の他、ドットマトリックスによる表示装置や特殊な音声を発する音声装置などが含まれる。
【００３０】
手段１１．手段１乃至手段１０のいずれかにおいて、前記扉体に、前記絵柄表示装置における絵柄の可変表示を開始させるための始動操作部材（スタートレバー３３）と、同絵柄の可変表示を停止させるための停止操作部材（ストップスイッチ３５〜３７）とを設け、前記停止操作部材の操作後における停止絵柄に応じて遊技球の払出を行うことを特徴とする遊技機。
【００３１】
本発明は、遊技者により積極操作される始動操作部材や停止操作部材を備えた遊技機に好適に適用される。
【発明を実施するための最良の形態】
【００３２】
以下に、遊技球を遊技媒体として用いて遊技を行う、遊技球使用回胴遊技機に関する一実施の形態につき図面に基づいて説明する。
【００３３】
本実施の形態における遊技機は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている。本遊技機には、遊技ホール等においてパチンコ機と共通の遊技球供給システムから遊技球の供給がなされるようになっており、パチンコ機が設置される既存の島設備（パチンコ島）に本遊技機を設置することが可能となっている。
【００３４】
まず、遊技機１の外観構成及び内部構造の概略を説明する。ここで、図１は遊技機１の全体を示す斜視図、図２は遊技機１の正面図、図３は及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００３５】
遊技機１は、本体枠としての外枠２と、この外枠２に対して前方に回動可能に取り付けられた遊技機本体部３とを有する。外枠２は木製の板材を四辺に連結し構成されるものであって、全体として矩形状をなしている。本遊技機１を遊技ホールに設置する際には、外枠２が島設備に取り付け固定される。外枠２を合成樹脂やアルミニウム等の金属によって構成することも可能である。図３等では隠れて図示されていないが、外枠２を構成する四辺の板材のうち右辺の板材には、その内側上下２カ所に、後述するドアブロック４に設けた施錠部材（詳しくは鉤金具１２３，１２４）を係止するための鉤受け部が設けられている。
【００３６】
遊技機本体部３は、扉体ユニットであるドアブロック４と、球受皿ユニットである受皿ブロック５と、絵柄表示ユニットである面替えブロック６と、遊技球の払出ユニットである払出ブロック７とから構成構成されている。ドアブロック４には上下２カ所にヒンジ金具８が設けられており、このヒンジ金具８と外枠２側の上下２カ所の支持金具９とにより、ドアブロック４（遊技機本体部３）が外枠２に対して回動可能に支持されている。この場合、遊技機１を正面から見て左側に回動軸線が設けられる構成となっており、遊技機本体部３は正面から見て右側を回動先端部として開放される。外枠２に対して遊技機本体部３が閉じた状態では、ドアブロック４の外周縁部の背面が外枠２の前面に当接するようになっている。
【００３７】
受皿ブロック５はドアブロック４の背面側に着脱可能に取り付けられている。また、面替えブロック６はドアブロック４の背面側において受皿ブロック５の上方に取り付けられ、更に面替えブロック６を背面側から覆うようにして払出ブロック７が取り付けられている。これら面替えブロック６と払出ブロック７はドアブロック４の一部にそれぞれ回動可能に支持されており、これら各ブロック６，７は、外枠２に対してドアブロック４と一体で回動可能となるとともに、ドアブロック４に対して各々個別に回動可能となる構造を有する。
【００３８】
遊技機本体部３を背面側から見て、ドアブロック４の背面には払出ブロック７と受皿ブロック５とが上下に並ぶようにして配設されている。
【００３９】
ここで、遊技機本体部３を構成する上記の各部材について相対的な位置関係と動作状態を簡単に説明する。図６は遊技機本体部３を模式的に示す図面であり、（ａ）は遊技機本体部３を背面側から見た図、（ｂ）〜（ｄ）はドアブロック４に対する面替えブロック６と払出ブロック７の開放動作状況を示す図である。
【００４０】
（ａ）に示すように、ドアブロック４に対して面替えブロック６や払出ブロック７を開放動作させるための軸線ＡＸ１は図の右側（正面から見ると左側）に設けられている。この軸線ＡＸ１は、面替えブロック６を支持するための軸線と払出ブロック７を支持するための軸線とを兼ねるものとなっている。この場合、図示のＭ１，Ｍ２は面替えブロック６を支持するための支持手段であり、Ｍ３，Ｍ４は払出ブロック７を支持するための支持手段である。つまり、面替えブロック６用の支持手段Ｍ１，Ｍ２は同軸で上下一対に設けられている。また、払出ブロック７用の支持手段Ｍ３，Ｍ４は、前記支持手段Ｍ１，Ｍ２を挟むようにしてやはり同軸で上下一対に設けられており、更に支持手段Ｍ１，Ｍ２に対しても同軸となっている。
【００４１】
上記構成により、（ｂ）〜（ｄ）の各動作が可能となっている。（ｂ）では、ドアブロック４に対して面替えブロック６と払出ブロック７とを一体的に開放動作させており、（ｃ）では、（ｂ）の状態から面替えブロック６に対して払出ブロック７を開放動作させている。また、（ｄ）では、ドアブロック４に対して面替えブロック６を閉じた状態から、払出ブロック７だけを開放動作させている。
【００４２】
（ドアブロック４の説明）
次に、ドアブロック４を図７等を用いて詳細に説明する。ここで、図７，図８は、ドアブロック４と受皿ブロック５とを分離してそれらを前方から及び後方から示す斜視図である。また、図９，図１０は、ドアブロック４を構成する前扉体１１と内枠１２とを分離してそれらを前方から及び後方から示す斜視図である。なお以下のドアブロック４の説明では、図７〜図１０以外にも、前述の図１や図２等を適宜用いることとする。
【００４３】
ドアブロック４において、前扉体１１は、前記外枠２とほぼ同等の大きさ（縦寸法及び横寸法）を有し、その背面側に重なるようにして内枠１２が取り付けられている。内枠１２は、例えばアルミダイキャストにて成形されており、前扉体１１を補強する役目を有する他、後に詳述する面替えブロック６や払出ブロック７を支持する役目を有するものである。
【００４４】
（前扉体１１の説明）
前扉体１１は、後述するリール図柄や液晶図柄等を視認可能とする図柄視認部、遊技に際し遊技者により手動操作される操作部、上皿部で余剰となった遊技球などを貯留するための下皿部を備える。
【００４５】
すなわち、図９等に示すように、前扉体１１の上半部には、図柄視認部として略台形状をなす視認窓２１が形成されている。この視認窓２１には、平坦な透明板よりなる透明パネル２２がはめ込まれており、この透明パネル２２を介してその内方が視認可能となっている。透明パネル２２は、上下に分割され僅かに折り曲げ形成された二つのパネル部（上パネル部２２ａ、下パネル部２２ｂ）を有するものであり、上パネル部２２ａはほぼ鉛直方向に設けられ、下パネル部２２ｂは若干上方を向くようにして設けられている。上パネル部２２ａは、後述する液晶表示装置の前面を覆うものであり、この上パネル部２２ａを介して液晶表示装置の表示画像が視認される。また、下パネル部２２ｂは、後述するリール装置の前面を覆うものであり、この下パネル部２２ｂを介してリール装置の図柄が視認される。
【００４６】
こうした比較的大型に構成される視認窓２１（透明パネル２２）によれば、大型の液晶表示装置を用いた画像の表示演出によって遊技者に多大なインパクトを与えることが可能になることに加え、本遊技機１の主表示装置たるリール装置の図柄の視認性が良好なものとなっている。
【００４７】
前扉体１１の周縁部には、視認窓２１を囲むようにして透明パネル２２よりも前方に張り出した囲い部２３が設けられている。この囲い部２３には、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変更したりすることで、役の成立等が遊技者に告知される。また、このランプ部２４，２５やスピーカ部２６を用いて、エラー告知等を行うことも可能である。
【００４８】
ちなみに、前記視認窓２１は、前扉体１１の左右幅に対して囲い部２３（左右の側方ランプ部２５）を除く範囲で設けられており、故に視認窓２１は左右に幅広いものとなっている。また言い加えると、視認窓２１は、後述するリール装置や液晶装置の横幅よりも幅広となっている。
【００４９】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部には、向かって左寄りの位置（概ねスタートレバー３３と左側のストップスイッチ３５との間）にベットスイッチ取付板部３２が形成されており、その取付板部３２にボタン状のベットスイッチ３８が取り付けられている。
【００５０】
ベットスイッチ３８は、遊技者によるベット（賭数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、１ベットスイッチや２ベットスイッチを設ける構成であっても良い。ちなみに、１ベットスイッチは、１回の押し操作により１ベット相当（５個分）の遊技球を取り込ませるためのベットスイッチであり、２ベットスイッチは、１回の押し操作により２ベット相当（１０個分）の遊技球を取り込ませるためのベットスイッチである。
【００５１】
スタートレバー３３は、後述するリール装置の各リール（回転体）を回転開始させるための操作部材であり、各リールを回転開始、すなわち図柄の可変表示を開始させるべく操作される始動操作手段を構成する。
【００５２】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、かかる状態中には図示しないランプが点灯表示されることによって停止操作が可能であることが報知され、各リールの回転が停止すると消灯されるようになっている。
【００５３】
操作部３０の後方には、前記前面板部３１とほぼ同じ長さを有し上方に開口した横長状の開口部４１が形成されている。この開口部４１は、前扉体１１に受皿ブロック５を装着した場合に上皿１５１を配するための開口領域であり、開口部４１の左右方向の幅寸法は上皿１５１の左右方向の幅寸法に概ね合致し、同開口部４１の前後方向の幅寸法は上皿１５１の前後方向の幅寸法よりも若干短いものとなっている。
【００５４】
操作部３０の前面板部３１には、正面から見て右下部に切欠部４２が形成されている。この切欠部４２は、後述する排出操作伝達装置１８０の操作レバー１８８を設置するための設置スペースとなっている。
【００５５】
前記視認窓２１（透明パネル２２）と操作部３０との間には、左右方向に延びる長板状のサブパネル部５０が設けられており、そのサブパネル部５０には情報表示部５１と貸球操作部５２とが設けられている。情報表示部５１には、小役成立時における獲得球数を表示する獲得球数表示部５３と、ビッグボーナスやレギュラーボーナス等の特別遊技状態の際に例えば残りのゲーム数等を表示するゲーム数表示部５４とが設けられている。これら表示部５３，５４は７セグメント表示器によって構成されているが、液晶表示器等によって代替することは当然可能である。
【００５６】
貸球操作部５２は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、球貸しボタン５６と返却ボタン５７と度数表示部５８とが一体的に並設されている。この場合、球貸しボタン５６は、カード（記録媒体）等に記録された情報に基づいて貸出球を得るために操作されるものであり、カード等に残額が存在する限りにおいて貸出球が払い出される。返却ボタン５７は、カードユニットに挿入されたカード等の返却を求める際に操作される。度数表示部５８はカード等の残額情報を表示するものである。
【００５７】
前扉体１１において、情報表示部５１や貸球操作部５２の左右の側方部には、その上方の囲い部２３に比して奥側に後退するようにして弧状の凹み部６１が設けられており、その凹み部６１には、外枠２に対する遊技機本体部３（ドアブロック４）の施錠及び解錠を行うための施錠部材（詳細には、後述する内枠１２に設けたキーシリンダ１２５）を前方に露出させるためのキーシリンダ設置穴６２が設置されている。
【００５８】
図１等で確認できるとおり左右の凹み部６１は上皿１５１の直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００５９】
更に、前扉体１１において、操作部３０の下方には、前記囲い部２３及び凹部６１に連続するようにして膨出部７０が形成されており、その膨出部７０に囲まれるようにして下皿７１と灰皿７２が形成されている。膨出部７０に囲まれた奥壁部７３には下皿排出口７４とスピーカ穴７５とが形成されている。上皿１５１やその上流通路に遊技球が満タンに貯留されている状態であって更に払出装置から遊技球が払い出される場合、或いは、上皿１５１内に貯留されている遊技球に対して球抜き操作が行われる場合には、下皿排出口７４を介して下皿７１に遊技球が排出される。
【００６０】
下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで前記開閉板７６が開位置にスライド移動し、下皿７１内の遊技球の排出が行われる。その他、膨出部７０において下皿７１の左右両側方には下皿ランプ部７８が設けられている。
【００６１】
図１０に示すように、前扉体１１の背面側の構成として、前記視認窓２１の左右両側には前記側方ランプ部２５を収容するランプ収容部９１が設けられている。このランプ収容部９１は略角柱状をなしており、その内側面には、前記透明パネル２２を後方より支持するためのパネル支持板材９２が取り付けられている。
【００６２】
関連して、ここで透明パネル２２の取付の手順を説明する。視認窓２１の下縁部にはパネル厚み分の幅でパネル受溝９３が形成されており、前扉体１１の後方から透明パネル２２は、その下端部がパネル受溝９３にはめ込まれるとともに、同上端部が前扉体１１の背面部に当接される。そしてその状態で、左右のパネル支持板９２がビス等により取り付けられる。これにより、透明パネル２２の前扉体１１への取付が完了する。
【００６３】
前扉体１１の背面側において、視認窓２１（透明パネル２２）の下方には、前記開口部４１の奥側縁部から後方に向けて突出するようにして突出板９８が設けられている。
【００６４】
（内枠１２の説明）
図９や図１０に示すように、内枠１２は、前扉体１１と相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、内枠１２の背面側には、下枠部１０４の上縁部の一部を除く範囲で中央開口部１０５を囲むようにして一定高さのリブ１０６が形成されている。また、内枠１２において、外周縁部には前方に直角に折れ曲がった返し部１０７が形成されている。前扉体１１に対して内枠１２を組み付けた際には、返し部１０７は前扉体１１の外縁部の内側に重なり、それによって前扉体１１と内枠１２との間に空間が形成される。そしてこの空間を利用してランプ装置等が配設されるようになっている。
【００６５】
前述したように本遊技機１は、正面から見て左側に回動軸線が設けられる構成となっており、上枠部１０３と下枠部１０４には前述のヒンジ金具８が上下２カ所に取り付けられている。
【００６６】
また、左枠部１０１には、リブ１０６の先端部から後方に延びるようにして上下一対の軸金具１１０，１１１が所定間隔を隔てて取り付けられている。この軸金具１１０，１１１は、面替えブロック６や払出ブロック７を回動可能に支持するための金具部材である。軸金具１１０，１１１は共に略コ字状をなしており、軸金具１１０には上下に軸受け部１１０ａ，１１０ｂが形成され、軸金具１１１には上下に軸受け部１１１ａ，１１１ｂが形成されている。これら軸金具１１０，１１１の各軸受け部１１０ａ，１１０ｂ，１１１ａ，１１１ｂには軸孔が形成されており、軸金具１１０，１１１は全ての軸孔が何れも同一の軸線上に配置されるようリブ１０６に固定されている。
【００６７】
かかる場合、軸金具１１０の下側の軸受け部１１０ｂと軸金具１１１の上側の軸受け部１１１ａとが面替えブロック６を支持するための面替えブロック支持手段に相当し、軸金具１１０の上側の軸受け部１１０ａと軸金具１１１の下側の軸受け部１１１ｂと払出ブロック７を支持するための払出ブロック支持手段に相当する。
【００６８】
また、右枠部１０２には、ドアブロック４を開放不能な施錠状態で保持するための施錠装置が設けられている。すなわち、右枠部１０２の背面側には上下方向に延びる基枠１２１が固定されており、その基枠１２１には、当該基枠１２１に対して上下方向に移動可能に組み付けられた長尺状の連動杆１２２が設けられている。連動杆１２２には鉤形状をなす上下一対の鉤金具１２３，１２４が設けられている。鉤金具１２３，１２４は、その中間部分が基枠１２１側に軸支されており、連動杆１２２が上方に移動することでその先端鉤部が下方に移動する構成となっている。
【００６９】
基枠１２１には、解錠操作部たるキーシリンダ１２５が設けられている。このキーシリンダ１２５は前後方向に延びる向きで設けられており、前扉体１１に内枠１２を組み付けた際にはシリンダ前面（キー挿入孔の設置側）が前扉体１１に設けたキーシリンダ設置穴６２から露出することとなる。連動杆１２２を含む施錠機構と、キーシリンダ１２５と、キーシリンダ１２５に挿入されて所定方向に回動操作される操作キー（図示略）とが本遊技機１の施錠装置を構成する。なお、キーシリンダ１２５として、不正解錠防止機能の高いオムロック（登録商標）を用いる構成としても良い。
【００７０】
かかる場合、キーシリンダ１２５に操作キーを差し込んだ状態で、当該操作キーを時計回り方向に回動操作すると、連動杆１２２が上方に移動する（扉背面から見るとキーシリンダ１２５の回転部分が反時計回り方向に回るため）。これにより、連動杆１２２の鉤金具１２３，１２４の先端鉤部が下方に移動し、外枠２に対してドアブロック４が閉じている場合に、鉤金具１２３，１２４と外枠２側の鉤受け部との係止状態（すなわち施錠状態）が解除される。そして、外枠２に対してドアブロック４が開放可能となる。
【００７１】
下枠部１０４には、前記前扉体１１に設けた下皿排出口７４に連通する連通口１３１が設けられるとともに、前記スピーカ穴７５から前方に露出するスピーカ１３２が設けられている。その他、同下枠部１０４には、後方に突出する突起柱部１３３，１３４が設けられている。
【００７２】
内枠１２の背面側には、ドアブロック４の背面側に取り付けられる受皿ブロック５や払出ブロック７を固定するための固定手段が複数箇所に設けられている。すなわち、受皿ブロック５用の固定手段として、計５カ所の鉤金具（鉤金具１３６ａ，１３６ｂ，１３６ｃ，１３６ｄ，１３６ｅ）が設けられている。また、払出ブロック７用の固定手段として、計４カ所の鉤金具（鉤金具１３７ａ，１３７ｂ，１３７ｃ，１３７ｄ）が設けられている。
【００７３】
内枠１２は、前扉体１１に対してネジ等の締結具を用いて取付固定される。その状態を図８に示す。この場合、前扉体１１の背面側に設けた突出板９８と内枠１２の下枠部１０４の上端部との間には、左右方向に延びる空間部が形成され、その空間部に、後述する受皿ブロック５の上皿１５１が組み込まれるようになっている。
【００７４】
（受皿ブロック５の説明）
次に、受皿ブロック５について説明する。図１１は受皿ブロック５の正面図、図１２は受皿ブロック５の平面図、図１３は受皿ブロック５の背面図、図１４，図１５は受皿ブロック５の分解斜視図（図１４は前方から見た図、図１５は後方から見た図）である。
【００７５】
受皿ブロック５は、順次取り込まれる遊技球を一時的に貯留する機能を有する上皿１５１と、払出装置などから供給される遊技球を上皿や下皿などに流通させる機能を有する球通路形成体１５２と、遊技球の取込機能を有する取込ユニット１５３とを備えるものであり、その他、電気的な構成として電源装置１５６と払出制御装置１５７とを有してなる払出制御ユニット１５５を備えている。
【００７６】
（上皿１５１の説明）
上皿１５１は、島設備の球貸し装置から貸し出された遊技球や、払出装置より払い出された遊技球を一旦貯留するための皿部材を構成するものである。図１６は、上皿１５１とそれに付随して設けられる部材とを示す分解斜視図であり、図１７は、上皿１５１の平面図である。
【００７７】
上皿１５１は横長の樋状に成形されており、底板部１６１とその周縁部を囲む周壁部１６２とよりなる。これら底板部１６１と周壁部１６２とにより囲まれて遊技球貯留領域が形成されている。周壁部１６２のうち奥側の壁部には、正面から見て左側の位置に排出口１６３が設けられている。また、底板部１６１には、正面から見て右側の位置に開口部１６４が設けられている。
【００７８】
底板部１６１は、概して排出口１６３から開口部１６４に向けて（図１７の左側から右側に向けて）低くなる構成となっている。詳しくは、底板部１６１は前後二段に形成されており、更にそのうち後側領域が左右二段に形成されている。この場合、底板部１６１において、前側領域（図１７のＲ１領域）が最も高位となり、次に後側領域の左側（図１７のＲ２領域）が高位となり、後側領域の右側（図１７のＲ３領域）が最も低位となっている。したがって、排出口１６３から排出された遊技球はＲ２領域→Ｒ１領域→Ｒ３領域といった経路で（又はＲ２領域→Ｒ３領域の経路で）下流側に流れる。
【００７９】
なお、底板部１６１において前側領域（Ｒ１領域）には突条案内部１６５が形成されており、当該前側領域（Ｒ１領域）に流れ込んだ遊技球は、突条案内部１６５に当たることでＲ３領域に案内されるようになっている。
【００８０】
上皿１５１の最下流部（Ｒ３領域）には、２つの仕切部１６７，１６８が設けられており、この仕切部１６７，１６８に仕切られることで三列の案内通路１７１，１７２，１７３が形成されている。これら各案内通路１７１〜１７３は、前記開口部１６４に通ずるように設けられており、遊技球を各一列に整列する整列通路部を構成する。
【００８１】
上皿１５１には、開口部１６４と各案内通路１７１〜１７３の一部とを上方から覆うようにしてカバー部材１７５が取り付けられる。カバー部材１７５は、各案内通路１７１〜１７３の高さ方向の寸法を概ね遊技球１個分に規制するための部材であり、このカバー部材１７５を上皿１５１に取り付けることにより、各案内通路１７１〜１７３において遊技球が１つずつ取り込まれるようになる。カバー部材１７５は、その下方の遊技球の有無を視認可能にすべく透明材料にて成形されている。
【００８２】
周壁部１６２のうち手前側の壁部には凹部１７６が形成されており、その凹部１７６により、受皿ブロック５をドアブロック４に組み付けた際におけるベットスイッチ取付板部３２と上皿１５１との干渉が回避されるようになっている。
【００８３】
また、上皿１５１の底部には、後述する取込ユニット１５３の排出ゲート部材３４０を操作して上皿１５１内の貯留球を下皿７１に排出するための排出操作伝達装置１８０が取り付けられる。ここで、排出操作伝達装置１８０の構成を図１８、図１９を用いて説明する。
【００８４】
（排出操作伝達装置１８０の説明）
図１８、図１９に示すように、排出操作伝達装置１８０において、ケース体１８１には２つの軸部１８２，１８３が設けられており、その軸部１８２，１８３にはそれぞれ第１リンク片１８４と第２リンク片１８５が回動可能に支持されている。これら第１，第２リンク片１８４，１８５は各々の一部分が互いに連結されており、第１リンク片１８４に連動して第２リンク片１８５が回動する。第１リンク片１８４には引張バネ１８６が設けられており、第１リンク片１８４は引張バネ１８６のバネ力により常に同方向（図では反時計回り方向）に付勢されている。また、ケース体１８１の手前側端面には、左右方向に移動可能な操作レバー１８８が設けられており、この操作レバー１８８に一体に設けられた支柱部１８８ａが第１リンク片１８４に設けられた孔部１８４ａに挿通されている。故に、操作レバー１８８のスライド操作に伴い第１リンク片１８４が軸部１８２を中心に回動する。
【００８５】
上記構成の排出操作伝達装置１８０では、遊技者等により操作レバー１８８が図示の位置から左方（図１９のＰ１方向）にスライド操作されることにより、第１リンク片１８４が引張バネ１８６のバネ力に抗して図の時計回り方向（図１９のＰ２方向）に回動するとともに、第２リンク片１８５が反時計回り方向に回動（図１９のＰ３方向）する。これにより、第２リンク片１８５の回動先端部が後方側（図１９のＰ４方向）へと移動する。また、操作レバー１８８の操作が解除されると、引張バネ１８６のバネ力により第１リンク片１８４が図の反時計回り方向に回動するとともに、第２リンク片１８５が時計回り方向に回動する。これにより、排出操作伝達装置１８０が元の状態に復帰する。こうした排出操作伝達装置１８０の動作により、後述する取込ユニット１５３の排出ゲート部材３４０が操作され、取込ユニット１５３を介しての遊技球の排出（実際には遊技球の下皿７１への排出）が行われるようになっている。
【００８６】
（球通路形成体１５２の説明）
次に、球通路形成体１５２について説明する。図２０及び図２１は、球通路形成体１５２とそれに付随して設けられる部材とを示す分解斜視図である。
【００８７】
球通路形成体１５２の背面側には、遊技球を下皿７１に排出するための下皿排出通路２０１と、遊技球を遊技機外部（遊技ホールの島設備）に排出するための外部排出通路２０２とが並列に形成されている。下皿排出通路２０１は、球通路形成体１５２の前面側に設けた排出口２０３に通じており、下皿排出通路２０１を流下する遊技球は、排出口２０３を介して下皿７１へと排出されることとなる。また、下皿排出通路２０１と外部排出通路２０２の最上流部付近には、上皿１５１の排出口１６３に通ずる排出通路２０４が形成されている。
【００８８】
球通路形成体１５２の背面側には、下皿排出通路２０１と外部排出通路２０２とを塞ぐようにして通路カバー部材２０６が取り付けられるとともに、これら各通路２０１，２０２の最上流部において、遊技球を、下皿排出通路２０１、外部排出通路２０２、排出通路２０４のいずれかに分配するための遊技球分配部材２１０が取り付けられる。この遊技球分配部材２１０には、３つの通路２１１，２１２，２１３が設けられており、遊技球分配部材２１０が球通路形成体１５２に取り付けられた状態では、通路２１１が下皿排出通路２０１に連通され、通路２１２が外部排出通路２０２に連通され、通路２１３が排出通路２０４に連通される。
【００８９】
球通路形成体１５２において前記下皿排出通路２０１の最下流部よりも先方には、取込ユニット１５３を収容するための略正方形状の開口部２１５が形成されている。その開口部２１５の下方には、遊技球が取込ユニット１５３にて取り込まれた後排出される球排出室２１６が形成されている。球排出室２１６は外部誘導通路２１７に通じており、球排出室２１６に排出された遊技球は、更に外部誘導通路２１７を介して遊技球外部（遊技ホールの島設備）に排出される。また、球排出室２１６の側方には、遊技者による排出操作（前記排出操作伝達装置１８０のレバー操作）に伴い排出される遊技球を排出口２０３に導くための排出誘導通路２１８が形成されている。
【００９０】
球通路形成体１５２の前面側には、前記上皿１５１の底面に重なるようにして球留め装置２４０が設けられている。図２２は球留め装置２４０の単体の構成を示す平面図であり、図２３は球留め装置２４０を球通路形成体１５２に装着した状態を後方側から示す背面図である。なお、球留め装置２４０の動作状態として、図２２の（ａ）と図２３の（ａ）とが対応し、図２２の（ｂ）と図２３の（ｂ）とが対応している。
【００９１】
球留め装置２４０は、球通路形成体１５２に固定される本体部２４１と、該本体部２４１上に載置され図２２の左右方向に往復動可能な可動部２４２と、可動部２４２を左右方向に往復動させるべく回動操作される操作レバー部２４３とを有している。そして、この球留め装置２４０は、操作レバー部２４３が後側になるようにして球通路形成体１５２に組み付けられている。
【００９２】
可動部２４２には、同一方向に並ぶようにして３つのアーム部２４４，２４５，２４６が形成されている。各アーム部２４４〜２４６はそれぞれ二股に分岐されており、その先端には上方（図２２では紙面手前側）に折れ曲がるようにして起立する各２個ずつの起立部２４７，２４８，２４９が形成されている。可動部２４２に形成された各アーム部２４４〜２４６の間隔は、前記上皿１５１に形成した３つの案内通路１７１〜１７３に合致しており、図１７に示すように、各案内通路１７１〜１７３に通じる開口部１６４から前記各アーム部２４４〜２４６の起立部２４７〜２４９が現出するようになっている。
【００９３】
操作レバー部２４３は、その軸部２５１が本体部２４１に支持されており、概ね９０度の角度範囲内で回動操作可能となっている。軸部２５１には、その軸心から９０度の角度で放射状に延びる突起片２５２ａ，２５２ｂが形成されており、その突起片２５２ａ，２５２ｂが可動部２４２に形成されたギャップ２５３内に収容されている。ギャップ２５３の左右方向の幅は、ほぼ軸部２５１の直径と突起片２５２ａ又は２５２ｂの長さとを合わせた寸法となっている。この場合、図２３の（ａ）の状態では一方の突起片２５２ｂの先端がギャップ２５３の内壁に当たり、操作レバー部２４３の回動操作によって図２３の（ｂ）の状態に移行すると、他方の突起片２５２ａの先端がギャップ２５３の内壁に当たることとなる。これにより、可動部２４２が左右方向に移動する。図２２で言えば、可動部２４２の左右方向の移動によって、可動部２４２の各アーム部２４４〜２４６の先端突出量が（ａ），（ｂ）で異なるものとなっている。（ａ）では先端突出量＝Ｌ１であるのに対し、（ｂ）では先端突出量＝Ｌ２となっている（Ｌ１＜Ｌ２）。
【００９４】
操作レバー部２４３には、球通路形成体１５２の開口部２１５に装着された取込ユニット１５３をその装着状態で保持するためのホールド板片２５４が設けられている。このホールド板片２５４は、軸部２４３の軸心から延びる舌形状をなすものであり、操作レバー部２４３が回動操作されることにより、ホールド板片２５４が図２３の（ａ），（ｂ）に示す各位置に操作されるようになっている。
【００９５】
ここで、操作レバー部２４３の操作位置と取込ユニット１５３との相互の関係を説明する。操作レバー部２４３が図２３の（ａ）に示す状態にある場合、操作レバー部２４３に一体的に設けられたホールド板片２５４の回動先端部が取込ユニット１５３の背面に当たっている。これが取込ユニット保持位置（ロック位置）である。この状態では、取込ユニット１５３が球通路形成体１５２に装着された状態で保持され、取込ユニット１５３の取り外しができないようになっている。これに対し、操作レバー部２４３が図２３の（ｂ）に示す状態に移行すると、ホールド板片２５４の回動先端部が取込ユニット１５３の背面に当たる状態が解除される。これが取込ユニット取り外し位置（アンロック位置）である。これにより、取込ユニット１５３の取り外しが可能となっている（図２３の（ｂ）には取込ユニット１５３を取り外した状態を図示している）。
【００９６】
図２４には、球留め装置２４０の操作状態と遊技球の流れとの関係を示す。図２４において、（ａ）は通常の遊技状態を示しており、当該状態は前記図２３の（ａ）や前記図２２の（ａ）に対応している。また、（ｂ），（ｃ）は取込ユニット１５３の取り外し可能状態及び取り外し後状態を示しており、当該状態は前記図２３の（ｂ）や前記図２２の（ｂ）に対応している。
【００９７】
図２４の（ａ）の状態では、前記図２２の（ａ）に示したとおり可動部２４２の各アーム部２４４〜２４６の先端突出量が比較的少なく、それ故に上皿１５１の案内通路１７１〜１７３から供給される遊技球の流れが阻止されることはない。したがって、遊技球が次々と取込ユニット１５３側に送り込まれる。
【００９８】
これに対し、図２４の（ｂ）の状態では、前記図２２の（ｂ）に示したとおり可動部２４２の各アーム部２４４〜２４６の先端突出量が比較的大きく、それ故に上皿１５１の案内通路１７１〜１７３から供給される遊技球の流れが各アーム部２４４〜２４６の先端部（起立部２４７〜２４９）で阻止される。この状態では、遊技球が取込ユニット１５３側に送り込まれることがないため、（ｃ）に示すように、取込ユニット１５３を取り外したとしても、上皿１５１内の遊技球が落下することが防止される。
【００９９】
図２１や図２２に示すように、球通路形成体１５２の背面側には、本受皿ブロック５をドアブロック４に装着した状態で固定するための装着固定手段（ロック部材２６１ａ，２６１ｂ，２６１ｃ，２６１ｄ，２６１ｅ）が複数箇所に設けられている。すなわち、ロック部材２６１ａ〜２６１ｅは、前記内枠１２の鉤金具１３６ａ〜１３６ｅ（図１０参照）に対応する位置に計５カ所設けられ、それぞれ各鉤金具１３６ａ〜１３６ｅに係止される係止片を有して構成されている。この場合、鉤金具１３６ａ〜１３６ｅに対して各ロック部材２６１ａ〜２６１ｅの係止片を係止状態にすることでドアブロック４に受皿ブロック５が装着固定され、その係止状態を解除することでドアブロック４から受皿ブロック５が取り外しできるようになっている。
【０１００】
球通路形成体１５２の前面側には、内枠１２に設けた突起柱部１３３，１３４を受けるための支柱受け部２６３，２６４が形成されている。また、球通路形成体１５２の上部には、横長薄板状のシート板２６５が取り付けられる。このシート板２６５は、球通路形成体１５２に上皿１５１を装着した状態で球通路形成体１５２の上部に取り付けられる。
【０１０１】
シート板２６５によれば、上皿１５１の奥側一部に上蓋が設けられるようになる（図７等参照）。このシート板２６５による上皿１５１の被蓋部分は、受皿ブロック５をドアブロック４に装着した状態で上皿１５１がドアブロック４の内部に隠れる部位に相当している。つまり、受皿ブロック５をドアブロック４に装着した状態では、ドアブロック４（前扉体１１）に設けられた開口部４１の前後方向の幅寸法（Ａ）と上皿１５１前後方向の幅寸法（Ｂ）とがＡ＜Ｂであるため（Ａ，Ｂは左右方向の同一箇所での寸法比較）、上皿１５１の奥側一部がドアブロック４の内側に没入することとなる。この場合、上皿１５１においてドアブロック４内側に没入した部位が上方に開放されたままであると、上皿１５１の手前側から奥側に入れた指や不正工具等が上皿奥側の上方開放部分を通じて遊技機内部に差し入れられ、その遊技機内部において不正行為などが行われるといった不都合が懸念される。この点、上記のとおりシート板２６５が設けられることにより、指や不正工具等を上皿１５１を通じて遊技機内部に差し入れることによる不正行為が抑制できる。要するに、シート板２６５は、上皿１５１と遊技機内部の空間（前扉体１１の内側領域）との間を遮蔽する遮蔽部材となっている。
【０１０２】
なお、シート板２６５は透明板で構成される。したがって、上皿１５１の一部がシート板２６５で隠されたとしても上皿１５１の内部確認（汚れや破損等の確認を含む）が容易となる。
【０１０３】
（取込ユニット１５３の説明）
取込ユニット１５３は、遊技者による操作に基づき遊技球を所定個数ずつ取り込むための取込手段を構成するものであり、該取込ユニット１５３による所定個数分の遊技球の取込により毎回の遊技（ゲーム）の開始条件が成立し、遊技開始の準備が整えられるようになっている。
【０１０４】
図２５は取込ユニット１５３を手前側から見た斜視図、図２６は同取込ユニット１５３を後方側から見た斜視図、図２７，図２８は同取込ユニット１５３の分解斜視図である。取込ユニット１５３には３個の取込装置３０１，３０２，３０３が重なるようにして設けられており、取込ユニット１５３は全体として略立方体形状となっている（以下の説明では、図２５において手前側に位置する取込装置３０１を「第１取込装置」、中央に位置する取込装置３０２を「第２取込装置」、奥側に位置する取込装置３０３を「第３取込装置」とも言う）。
【０１０５】
各取込装置３０１〜３０３の上面には、上方に開放されて外部に露出した状態で入口通路３０５，３０６，３０７が三列に形成されている。これら入口通路３０５〜３０７は、取込ユニット１５３における遊技球入口部を構成するものであり、受皿ブロック５としての完成状態では、上皿１５１から供給される遊技球が先ずは入口通路３０５〜３０７に案内され、その後一列に並んだ状態で順次取り込まれる。同完成状態では、上皿１５１に設けた開口部１６４（図１７参照）を通じて上方から入口通路３０５〜３０７が視認可能となっている。取込ユニット１５３の側面には各取込装置３０１〜３０３を結合させるための結合板３０８が取り付けられている。
【０１０６】
（取込装置３０１〜３０３の説明）
次に、各取込装置３０１〜３０３の構成を説明する。ただし、各取込装置３０１〜３０３は、概ね同様の構成をしているため、ここでは基本的に第１取込装置３０１を例に挙げて説明する。図２９は、取込装置３０１の内部構造を示す断面図、図３０，図３１は、取込装置３０１を分解して示す斜視図である。なお、以下の説明では便宜上、図２９に示す状態で上下左右の各方向を記載する。
【０１０７】
取込装置３０１は、合成樹脂成型品よりなる表裏一対のハウジング部材３１１，３１２を備えている。これら両ハウジング３１１，３１２がネジ等により結合されることにより略四角箱状の筐体が形成され、その内部空間に、後述する遊技球通路が形成されるとともに該通路を開閉するための開閉ゲート機構などが収容されるようになっている。各ハウジング３１１，３１２は、カーボン入りの黒色の樹脂材料により成型されている。以下説明の便宜上、ハウジング部材３１１を「第１ハウジング」、ハウジング部材３１２を「第２ハウジング」ともいう。
【０１０８】
因みに、各ハウジング３１１，３１２は透明な樹脂材料で成形されていても良い。各ハウジング３１１，３１２を透明化することにより、両ハウジング３１１，３１２の結合を外すことなく、取込装置内部の遊技球通路や開閉ゲート機構などの他、通路内に貯留された遊技球を視認することができるようになる。
【０１０９】
第１ハウジング３１１及び第２ハウジング３１２の上面部には、それぞれ通路壁３１３，３１４が形成されており、両ハウジング３１１，３１２を結合させることで、相対向する通路壁３１３，３１４の間に前記入口通路３０５が形成される。入口通路３０５の底面は図２９の左側ほど僅かに下方に傾斜している。
【０１１０】
第１ハウジング３１１側の通路壁３１３には円弧状の凹み部３１３ａが形成される一方、第２ハウジング３１２側の通路壁３１４には前記凹み部３１３ａに対向する位置に三角山状の突起部３１４ａが形成されている。これら各通路壁３１３，３１４の凹み部３１３ａ及び突起部３１４ａは、遊技球の流れを一定に整えるための整流部を構成するものである。入口通路３０５を下流側に流れる遊技球は、整流部に達すると、先ず突起部３１４ａに衝突し、その後凹み部３１３ａの内壁に衝突することで流れの向き（進路）を変更しながら流れる。こうして、入口通路３０５の整流部（凹み部３１３ａ及び突起部３１４ａ）において遊技球の流れの向きが変えられることで、遊技球の流れの勢いが減じられ、その後の流下速度が低減される。したがって、整流部の通過後における後述する遊技球検出の際の検出ミスが低減される。また、多数の遊技球が数珠繋ぎとなって取込装置３０１に取り込まれた場合に、整流部を通過すると、速度差によって隣接する遊技球間に間隔ができることから、複数の遊技球を１個の遊技球として誤検出する不具合もなくなる。すなわち、整流部の存在により、その通過後の遊技球検出が確実なものとなっている。
【０１１１】
取込装置３０１には、前記入口通路３０５の下流側において、第１ハウジング３１１と第２ハウジング３１２とにより囲まれるようにして取込通路３１５と排出通路３１６とが設けられている。これら取込通路３１５及び排出通路３１６は、入口通路３０５と同様に、遊技球を一列で通過させるに足りるだけの通路幅を有する。取込通路３１５は、入口通路３０５に連続して設けられ、その途中にて鉛直方向に折れ曲がるようにして形成されている。遊技者により所定の遊技開始操作が行われた際、毎回の遊技の開始条件とされる所定個数の遊技球がこの取込通路３１５を通じて取り込まれる。また、排出通路３１６は、取込通路３１５の折れ曲がり部分（コーナー部分）から当該取込通路３１５より分岐して設けられている。遊技終了に伴う精算時などにおいては、本取込装置３０１や上皿１５１に残留している遊技球がこの排出通路３１６を通じて遊技者に返還される（すなわち、上皿１５１等の球抜きが行われる）。
【０１１２】
なお、第１ハウジング３１１と第２ハウジング３１２は、厚さ方向の寸法が異なるものとなっており、入口通路３０５、取込通路３１５及び排出通路３１６は、大部分が第１ハウジング３１１側に形成されるようになっている。これにより、遊技球が実際に接触する経路は、両ハウジング３１１，３１２の境界部分（接合部分）から外れた部位となり、境界部分に溜まったゴミやほこり等により遊技球の流れが阻害されるといった不都合が回避されるようになっている。
【０１１３】
また、第１，第２ハウジング３１１，３１２には、入口通路３０５及び取込通路３１５に沿って一筋の突条部３１７が設けられている。この突条部３１７は、入口通路３０５及び取込通路３１５を通過する遊技球の外周面に接触するようにして通路の中央部（入口通路３０５にあっては高さ方向の中央部、取込通路３１５にあっては左右幅方向の中央部）に設けられている。突条部３１７の高さ（通路内部への突出寸法）は０．５ｍｍ程度であり、これにより入口通路３０５及び取込通路３１５の通路幅が狭められるようになっている。つまり、入口通路３０５及び取込通路３１５は基本的に通路幅が１２ｍｍ程度であるが、突条部３１７を設けることにより、実質的な通路幅が１１．５ｍｍ程度に狭められている。これにより、入口通路３０５及び取込通路３１５の内壁と遊技球との隙間間隔（遊び）を減らすことができ、安定した状態で遊技球が流下することとなる。特に、取込通路３１５においては、後述する遊技球検出が行われるため、その検出ミスを低減させることができる。ただし、突条部３１７は、第１，第２ハウジング３１１，３１２のいずれか一方にのみ設けられる構成であっても良い。前記整流部における突条部３１７の設置は任意である。
【０１１４】
ハウジング内部空間において取込通路３１５の側方には、当該取込通路３１５の鉛直方向部分に沿うようにして取込ゲート部材３２０が設けられている。取込ゲート部材３２０は、支軸３２１により回動可能に支持されており、その支軸３２１を支点とする回動により、該取込ゲート部材３２０の先端部に設けた爪部３２０ａが取込通路３１５に対して出没する。このとき、取込通路３１５の通路壁には通路切欠部３２２が形成されており、その通路切欠部３２２を介して取込ゲート部材３２０の爪部３２０ａが出没する。取込通路３１５に対して取込ゲート部材３２０の爪部３２０ａが突出した状態である場合、取込通路３１５を介しての遊技球の通過が阻止される。また、取込通路３１５に対して取込ゲート部材３２０の爪部３２０ａが没入した状態である場合、取込通路３１５を介しての遊技球の通過が許容される。
【０１１５】
かかる場合、取込ゲート部材３２０の爪部３２０ａの出没位置が取込通路３１５におけるコーナー部分の直ぐ下流位置であるため、換言すれば通路切欠部３２２が取込通路３１５におけるコーナー部分の直ぐ下流位置に形成されているため、取込ゲート部材３２０の爪部３２０ａが通路内に突出した状態（通過阻止状態）において、取込通路３１５のコーナー部まで流れてきた遊技球が該取込通路３１５の鉛直部分に流れ込むことがない構成となっている。
【０１１６】
ハウジング内部空間には、取込ゲート部材３２０の駆動源としてソレノイド３２５が配設されている。ソレノイド３２５は、本体部３２６と出力軸３２７とを主要構成部品として備えており、本体部３２６が通電されることにより出力軸３２７が伸縮方向に移動する。当該ソレノイド３２５は、取込ゲート部材３２０の右方において、出力軸３２７が下方へと突き出るように配設されている。また、ソレノイド３２５には、出力軸３２７を伸長状態で保持するためのコイルバネ３２８が設けられている。なお、ソレノイド３２５は、ソレノイドカバー３２９により第１ハウジング３１１に固定されている。
【０１１７】
ソレノイド出力軸３２７の先端部にはガイド３３１が取り付けられている。ガイド３３１には回動片３３２の一部が係合されており、同回動片３３２の他部が取込ゲート部材３２０の後端部に駆動連結されている。符号３３３は、回動片３３２のほぼ中央部に設けられ該回動片３３２を回動可能に支持する支軸である。
【０１１８】
本構成によれば、ソレノイド３２５への通電がない場合には、図示の如くコイルバネ３２８の付勢力によって出力軸３２７が伸長した状態で保持され、取込ゲート部材３２０の爪部３２０ａが取込通路３１５内に突出した状態とされる。これにより、取込通路３１５が閉鎖される。一方、ソレノイド３２５が通電されると、コイルバネ３２８の付勢力に抗して出力軸３２７が縮み方向に移動する。よって、ガイド３３１及び回動片３３２を介して取込ゲート部材３２０が回動し（図２９では時計回り方向に回動し）、取込ゲート部材３２０の爪部３２０ａが取込通路３１５外に引っ込んだ状態とされる。これにより、取込通路３１５が開放される。また、ソレノイド３２５への通電を中止すると、コイルバネ３２８の付勢力によって出力軸３２７が伸長状態となり、取込ゲート部材３２０の爪部３２０ａが取込通路３１５内に突出した状態に戻る。
【０１１９】
一方、第１，第２ハウジング３１１，３１２において排出通路３１６の入口位置には、それぞれ貫通孔３３７，３３８が設けられており、その貫通孔３３７，３３８を前後方向に貫通するようにして排出ゲート部材３４０が設けられている。排出ゲート部材３４０は、取込装置３０１〜３０３に個別に設けられるのではなく、全取込装置３０１〜３０３に共通に設けられるものとなっており、該排出ゲート部材３４０の作動状態によって、各取込装置３０１〜３０３において同時に遊技球の排出（球抜き）が許容又は阻止されるようになっている。
【０１２０】
ここで、排出ゲート部材３４０の詳細を図３２に基づいて説明する。排出ゲート部材３４０は、全体として略長方形状をなしており、３カ所に略正方形状の開口部３４１，３４２，３４３が形成されている。これら開口部３４１〜３４３は各取込装置３０１〜３０３に設けられた排出通路３１６にそれぞれ対応するものであり、一定間隔を隔ててそれぞれ設けられている。なお、開口部３４１〜３４３は排出通路３１６の一部を構成する。この場合、排出ゲート部材３４０がその長手方向（取込ユニット１５６の前後方向）に移動することにより、排出通路３１６が閉鎖又は開放の状態とされる。すなわち、図３３の動作説明図において、排出ゲート部材３４０が（ａ）に示す位置にある場合、排出ゲート部材３４０の壁板部により各取込装置３０１〜３０３の排出通路３１６が閉鎖され、当該通路３１６を通じての遊技球の排出が阻止される。また、排出ゲート部材３４０が（ｂ）に示す位置に移動すると、排出ゲート部材３４０の開口部３４１〜３４３により各取込装置３０１〜３０３の排出通路３１６が一斉に開放され、当該通路３１６を通じての遊技球の排出が許容される。
【０１２１】
開口部３４１〜３４３の下方には、それぞれ球案内突部３４４，３４５，３４６が形成されている。この球案内突部３４４〜３４６の上面は、各開口部３４１〜３４３の底部上面に連続して同一角度で設けられており、その角度は排出通路３１６の入口部の傾斜角度に合致している。これにより、遊技球が開口部３４１〜３４３を介して排出通路３１６に流入する際には、球案内突部３４４〜３４６上を転がりながら遊技球が通過し、排出通路３１６への遊技球の流入がスムーズに行われることとなる。
【０１２２】
排出ゲート部材３４０の一方の端部にはバネ受け部３４７が形成され、他方の端部にはロッド部３４８が形成されている。かかる場合、図２７等に示すように、第３取込装置３０３にカバー部材３５１が設けられ、そのカバー部材３５１と排出ゲート部材３４０のバネ受け部３４７との間にコイルバネ２５２が組み込まれる。なお、符号３５３はコイルバネ３５２を収容するためのバネ収容部である。符号３５４は、本取込ユニット１５３における電気配線等を一括して集め、主制御装置等に対して電気的に接続可能とする中継基板である。
【０１２３】
排出ゲート部材３４０は、コイルバネ３５２の付勢力によって一方向に常に付勢される。このとき実際には、排出ゲート部材３４０はコイルバネ３５２の付勢力により前記図３３の（ａ）の状態で保持され、ゲート操作部３４８から力が加わると、排出ゲート部材３４０がコイルバネ３５２の付勢力に抗して図３３の（ｂ）の状態に移行する。
【０１２４】
図２５等に示すように、取込ユニット１５３において第１取込装置３０１側にはロッド部３４８が突出している。このロッド部３４８の先端部は、前述した排出操作伝達装置１８０の第２リンク片１８５（図１８参照）に当接するようになっており、当該排出操作伝達装置１８０において操作レバー１８８が操作され、それに伴い各リンク片１８４，１８５が動作すると、その動作がロッド部３４８に伝達される。これにより、排出ゲート部材３４０が動作する。
【０１２５】
排出ゲート部材３４０の一方の端部において、前記バネ受け部３４７の下方には、排出ゲート部材３４０の長手方向に延びる突起部３５５が形成されている。また、排出ゲート部材３４０の一端側に設けられるカバー部材３５１には排出ゲート検出センサ３５６が設けられる（図２７参照）。この場合、前述のとおりコイルバネ３５２の付勢力によって排出ゲート部材３４０が一方向に常に付勢されている状態では、排出ゲート検出センサ３５６によって突起部３５５が検出されることはない。これに対し、排出ゲート部材３４０がコイルバネ３５２の付勢力に抗して移動することで、排出ゲート検出センサ３５６によって突起部３５５が検出される。つまり、排出ゲート検出センサ３５６は、排出ゲート部材３４０の操作状態（操作位置）を検出するための排出操作検出手段を構成するものとなっている。
【０１２６】
また、第１取込装置３０１には、取込通路３１５における遊技球の通過を検出するセンサユニット３７０が設けられている。センサユニット３７０の構成を図３０，図３１を用いて説明する。このセンサユニット３７０は、取込通路３１５を通過する遊技球数をカウントするための遊技球カウント手段を構成するものであり、発光素子と受光素子とからなる周知の光学式センサを備える。
【０１２７】
センサユニット３７０は、略コ字形状をなしており、第１，第２ハウジング３１１，３１２に跨るようにして組み付けられている。詳細には、センサユニット３７０は、取込装置３０１の厚さ方向に延びるセンサ本体部３７１と、該センサ本体部３７１の両端から各ハウジング３１１，３１２の外壁面に沿って取込通路３１５側に延びるアーム部３７２，３７３とを有している。センサ本体部３７１にはセンサ回路基板（図示略）が収容されており、そのセンサ本体部３７１の背面部にはセンサ回路基板上に設けたコネクタ端子３７４を外部に露出させるためのコネクタ穴３７１ａが形成されている。
【０１２８】
アーム部３７２，３７３のうち一方には発光素子が収容されるとともに、他方には受光素子が収容されている。また、アーム部３７２，３７３の先端部には、互いに内側となる部位に上下一対のセンサ検出孔３７６，３７７が形成されている。この場合、アーム部３７２，３７３内には各２個ずつの発光素子と受光素子が収容されており、これら各素子はセンサ検出孔３７６，３７７を通じて発光及び受光を行うようになっている。
【０１２９】
第１，第２ハウジング３１１，３１２の外壁面には、前記センサユニット３７０の各アーム部３７２，３７３を設置するための嵌合溝３７８，３７９が形成されている。嵌合溝３７８，３７９には上下一対の透孔３７８ａ，３７９ａが形成されている。各透孔３７８ａ，３７９ａは、第１，第２ハウジング３１１，３１２を接合した状態で各々向き合うよう配置されている。そして、ハウジング接合状態で、各ハウジング３１１，３１２にセンサユニット３７０が組み付けられる場合には、アーム部３７２，３７３が各々対応する嵌合溝３７８，３７９に嵌合されるようにしてセンサユニット３７０がハウジング３１１，３１２に組み付けられる。この状態では、各アーム部３７２，３７３の先端部に設けたセンサ検出孔３７６，３７７の位置と、各ハウジング３１１，３１２の嵌合溝３７８，３７９に設けた透孔３７８ａ，３７９ａの位置とが合致し、それらが向き合うようにして配置される。
【０１３０】
図２９に示すように、ハウジング内部において、透孔３７８ａは取込通路３１５内で中心から幾分オフセットした位置に設けられている（図示は略すが、透孔３７９ａも同様）。この透孔３７８ａ（３７９ａ）の位置がセンサユニット３７０による遊技球検出位置である。この場合特に、透孔３７８ａ（３７９ａ）は、取込ゲート部材３２０の先端部に形成した爪部３２０ａの真下位置（図２９において取込通路３１５の右オフセット位置）に設けられており、取込ゲート部材３２０の爪部３２０ａが没入側に移動しない限りセンサユニット３７０により遊技球が検出されることはないようになっている。仮に、透孔３７８ａ（３７９ａ）が取込通路３１５において逆側（図２９において取込通路３１５の左オフセット位置）に設けられた場合を想定すると、取込ゲート部材３２０の爪部３２０ａが突出位置にある状態での遊技球誤検出（排出通路３１６を通じての遊技球排出時の遊技球誤検出も含む）を防止するには透孔３７８ａ（３７９ａ）の位置を図示の位置よりも下方に下げる必要が生じるが、本遊技機１の上記構成によれば、透孔３７８ａ（３７９ａ）を取込ゲート部材３２０の爪部３２０ａの近傍に配置することが可能となる。したがって、取込ゲート部材３２０の開放により流下する遊技球をいち早く検出することが可能となる。
【０１３１】
取込ゲート部材３２０が開放された状態で遊技球が取り込まれる際、センサユニット３７０において上下の各センサ素子（発光素子＋受光素子）では、先に上流側のセンサ素子で遊技球が検出され、その後下流側のセンサ素子で遊技球が検出される。これら各センサ素子による検出信号は、遊技球の取込を管理する後述の主制御装置５０５に順に出力される。この場合、主制御装置５０５では、各センサ素子による遊技球検出信号によって正常に遊技球の取込が行われたかどうかが判定される。具体的には、所定の規定時間内に、上流側のセンサ素子→下流側のセンサ素子の順で遊技球の検出が行われた場合のみ、正常に遊技球の取込が行われたと判定される。
【０１３２】
仮に、上流側のセンサ素子による遊技球検出から下流側のセンサ素子による遊技球検出までの所要時間が規定時間よりも長い場合や、正常時とは逆に下流側のセンサ素子→上流側のセンサ素子の順で遊技球の検出が行われた場合には異常とみなされ、その旨が報知されるとともにそれ以降の遊技が停止される。したがって、例えば、遊技球やその他ダミー被検出物にひも等を付けて上下させることにより、あたかも複数の遊技球が取り込まれたようにするなどの不正行為が防止できるようになっている。
【０１３３】
上記のように、センサユニット３７０では各アーム部３７２，３７３のうち一方が発光部、他方が受光部となっており、それら発光部と受光部とが一体で設けられている。これにより、発光素子と受光素子との位置合わせ精度を高めることができ、遊技機の検出精度を良好なものとすることができる。また、各アーム部３７２，３７３を連結するセンサ本体部３７１にセンサ回路基板を設けるとともに、該センサ回路基板上に設けたコネクタ端子３７４によって外部基板との電気的な接続を可能としたため、発光素子や受光素子に繋がる信号線を統合してまとめることができ、さらに外部基板に対する配線の接続も容易なものとなる。
【０１３４】
また、取込通路３１５の最下流部には、取込ゲート部材３２０を通過した遊技球をセンサユニット３７０で検出した後、同遊技球を再度検出するための下流側取込センサ３８０が設けられている。この下流側取込センサ３８０は磁気検出タイプの近接センサにて構成されており、遊技球の通過に伴う磁界の変化により遊技球の通過を検出する。すなわち、板状のセンサ本体部３８１には貫通孔３８１ａが設けられており、センサ本体部３８１では貫通孔３８１ａを遊技球が通過する際の磁界の変化が検出されて電気信号として出力される。貫通孔３８１ａは略真円状をなしており、その直径は取込通路３１５の幅寸法に概ね一致している。センサ本体部３８１にはコネクタ端子３８２が設けられている。
【０１３５】
下流側取込センサ３８０による検出信号は、前記センサユニット３７０の検出信号と同様、後述する主制御装置５０５に対して出力される。この場合、主制御装置５０５では、前記センサユニット３７０の検出信号と下流側取込センサ３８０の検出信号とに基づいて今回の遊技球取込の検出結果（センサユニット３７０による取込判定の結果）が正規なものかどうか、すなわち不正なものでないかどうかが判定される。具体的には、センサユニット３７０による球技球カウント数（例えば、一方のセンサ素子の検出結果による遊技球カウント数）と、下流側取込センサ３８０による遊技球カウント数とを比較し、それら各カウント数が一致する場合に、今回の遊技球取込の検出結果（センサユニット３７０による取込判定の結果）が正規であると判定する。これに対し、各カウント数が不一致となる場合に、今回の遊技球取込の検出結果（センサユニット３７０による取込判定の結果）が正規なものでなく、不正行為によるものであると判定する。
【０１３６】
取込装置３０１に対する不正行為として、センサユニット３７０に、遊技球の通過を誤検出させるように発光動作する不正装置を取り付けることが考えられる。例えば、実際の遊技球取込に関係なく点滅動作するような２つの発光体を備えてなる不正装置を取込装置３０１に取り付け、それら各発光体を所定順序で点滅させることで遊技球の通過を誤検出させるようにする。かかる不正行為がなされた場合、センサユニット３７０による遊技球検出だけでは不正行為による遊技球の誤検出を回避することが困難であった。この点、上記のように下流側取込センサ３８０の検出信号による不正確認によって、不正行為による遊技球の誤検出を回避することができる。
【０１３７】
取込通路３１５に、互いに検出方式の異なる２つのセンサ装置（センサユニット３７０、下流側取込センサ３８０）を設けたため、各センサ装置のいずれにおいても遊技球を誤検出させるようにすることは困難なものとなる。故に、取込装置３０１における不正対策が望ましいものとなっている。
【０１３８】
上述した取込装置３０１の各構成部材（排出ゲート部材３４０を除く、取込ゲート部材３２０、ソレノイド３２５を含むゲート駆動機構、センサユニット３７０等）は、入口通路３０５と取込通路３１５とのコーナー部分の内側領域に集約して配設されている。これにより、各構成部材を限られた領域内で効率良く配置することができ、結果として取込装置３０１の小型化（薄型化も含む）が実現できるようになっている。
【０１３９】
次に、図３４を用い、第１取込装置３０１による実際の遊技球の取込動作を説明する。図３４において（ａ）は初期状態を示し、（ｂ）は遊技球の取込状態を示し、（ｃ）は遊技球の排出状態を示す。なお、実際の遊技に際し、入口通路３０５には続々と遊技球が入ってくるが、図３４の（ａ）〜（ｃ）では、５個の遊技球のみを図示している。
【０１４０】
図３４の（ａ）に示す初期状態では、ソレノイド３２５が非通電となっており、取込ゲート部材３２０の爪部３２０ａが取込通路３１５内に突出している。また、排出ゲート部材３４０が非操作の状態にあるため、当該排出ゲート部材３４０によって排出通路３１６の入口が閉鎖されている。つまり、取込ゲート部材３２０及び排出ゲート部材３４０によって取込通路３１５及び排出通路３１６が閉状態となっており、これにより遊技球の通過が阻止されている。この場合、取込装置３０１内に入ってきた遊技球のうち、先頭の遊技球は取込ゲート部材３２０と排出ゲート部材３４０との両方に当たった状態で保持されている。
【０１４１】
また、図３４の（ｂ）に示す遊技球の取込状態では、ソレノイド３２５の通電により取込ゲート部材３２０の爪部３２０ａが取込通路３１５から引っ込んだ状態となる。これにより、取込通路３１５の遊技球の通過が許容され、遊技球の取込が順次行われる。遊技球の取込が行われる際、入口通路３０５から取込通路３１５に入ってきた遊技球は通路閉鎖状態にある排出ゲート部材３４０に衝突し、その衝突により流れの勢いが減じられ、その後取込通路３１５の下流側へと流れる。このとき、取込通路３１５では前後する遊技球が互いに離間した状態で流下し、センサユニット３７０によって遊技球の通過が確実に検知される。
【０１４２】
さらに、図３４の（ｃ）に示す遊技球の排出状態では、遊技者による排出操作（実際には排出操作伝達装置１８０の操作レバー１８８の操作）によって排出ゲート部材３４０が動作して通路開放状態とされる（ただしこのとき、ソレノイド３２５は非通電状態にある）。これにより、排出通路３１６内における遊技球の通過が許容され、遊技球の排出（球抜き）が行われる。遊技球の排出が行われる際、取込通路３１５の鉛直部分の入口部は、取込ゲート部材３２０の爪部３２０ａと排出ゲート部材３４０の球案内突部３４４とにより閉鎖され、それら爪部３２０ａと球案内突部３４４との上を遊技球が通過する。このとき、遊技球はスムーズに流れ、遊技球の排出が好適に行われる。
【０１４３】
上記構成の取込装置が３連で設けられた取込ユニット１５３では、上皿１５１の案内通路１７１〜１７３から各取込装置３０１〜３０３にそれぞれ遊技球が供給され、遊技機前面のベットスイッチ３７の操作に伴い各取込装置３０１〜３０３では各々で遊技球が取り込まれる。具体的には、例えば１５個（マックスベット分）の遊技球が取り込まれる場合、全ての取込装置３０１〜３０３において同時に取込ゲート部材３２０が開放位置に操作され、遊技球の取込が一斉に開始される。このとき、各取込装置３０１〜３０３では遊技球が５個ずつ取り込まれる。
【０１４４】
ただし、３個の取込装置３０１〜３０３のうちいずれかの取込装置に遊技球が充填されていない場合、又はソレノイド３２５の故障などでいずれかの取込装置が正常に作動しない場合には、正常な取込動作を行うことができる残りの取込装置により遊技球の取込が行われる。例えば、第１取込装置３０１に遊技球が充填されていないとき又は同取込装置３０１のソレノイド３２５などが故障しているときには、第１取込装置３０１以外の取込装置（第２，第３取込装置３０２，３０３）によって１５個の遊技球が取り込まれることとなる。
【０１４５】
一方、取込装置３０１〜３０３や上皿１５１に残っている遊技球を下皿７１へ排出する場合には、遊技機前面の操作レバー１８８の操作に伴い排出ゲート部材３４０が操作されて各取込装置３０１〜３０３で一斉に遊技球の排出が行われる。
【０１４６】
（払出制御ユニット１５５の説明）
次に、払出制御ユニット１５５について説明する。図３５は、払出制御ユニット１５５の分解斜視図である。なお払出制御ユニット１５５としての完成状態は図８等に示されているため、これを参照されたい。図３５等に示すように、払出制御ユニット１５５は、電源装置１５６と払出制御装置１５７とを横に並べ、それら各装置１５６，１５７を連結具４０１で連結することにより構成されている。
【０１４７】
詳しくは、電源装置１５６は、電源基板（図示略）とその電源基板を収容する基板ボックス４０２とにより構成されている。基板ボックス４０２は、合成樹脂材料にて成形されており、特に内部（電源基板）を視認可能とすべく透明ボックスとされている。基板ボックス４０２の上面及び下面の隅部にはスリット状の切欠が形成されており、その切欠によって可撓板部４０３が形成されるとともに、その可撓板部４０３上に突起４０４が形成されている（ただし図３５には上側の可撓板部及び突起のみを示す）。これにより、可撓板部４０３及び突起４０４は上方（又は下方）からの力の作用により撓み変形する。
【０１４８】
また、払出制御装置１５７は、払出制御基板（図示略）とその払出制御基板を収容する基板ボックス４０５とにより構成されている。基板ボックス４０５は、合成樹脂材料にて成形されており、特に内部（払出制御基板）を視認可能とすべく透明ボックスとされている。基板ボックス４０５の上面及び下面の隅部にはスリット状の切欠が形成されており、その切欠によって可撓板部４０６が形成されるとともに、その可撓板部４０６上に突起４０７が形成されている（ただし図３５には上側の可撓板部及び突起のみを示す）。これにより、可撓板部４０３及び突起４０７は上方（又は下方）からの力の作用により撓み変形する。電源装置１５６及び払出制御装置１５７の各基板ボックス４０２，４０５において、それらの高さ寸法（上下方向の寸法）と厚さ寸法（前後方向の寸法）は同一となっている。
【０１４９】
連結具４０１は略コ字状をなしており、中板部４０１ａ、上板部４０１ｂ及び下板部４０１ｃよりなる。中板部４０１ａは、電源装置１５６及び払出制御装置１５７の各基板ボックス４０２，４０５の高さ寸法とほぼ同じ長さ寸法（上下方向の寸法）を有し、上板部４０１ｂ及び下板部４０１ｃは同基板ボックス４０２，４０５の厚さ寸法とほぼ同じ長さ寸法（前後方向の寸法）を有する。上板部４０１ｂ及び下板部４０１ｃには各２個ずつの孔部４０８，４０９が形成されている。
【０１５０】
電源装置１５６及び払出制御装置１５７の各基板ボックス４０２，４０５に設けた突起４０４，４０７を連結具４０１の各孔部４０８，４０９に係合させることで、連結具４０１を介して電源装置１５６及び払出制御装置１５７が連結される。電源装置１５６及び払出制御装置１５７が連結された状態では、それら各装置１５６，１５７内の基板はいずれも同一方向（受皿ブロック５としては後方側）を向くようになっている。当該状態では、電源装置１５６及び払出制御装置１５７が所定の隙間を隔てて配置される。そして、図１５等に示すように、電源装置１５６及び払出制御装置１５７の基板裏面側（連結具４０１の中板部４０１ａ側）を球通路形成体１５２に対向させるようにして、払出制御ユニット１５５が球通路形成体１５２に取り付けられる。
【０１５１】
（受皿ブロック５としての動作説明）
受皿ブロック５としての動作を図７（全体斜視図）、図１７（上皿１５１の平面図）、図２１（球通路形成体１５２の斜視図）、図２９（取込装置３０１の構成断面図）等を用いて説明する。
【０１５２】
上記の如く構成される受皿ブロック５において、上皿１５１に多数の遊技球が貯留されている状態では、遊技球は上皿１５１の最下流部である案内通路１７１〜１７３で各一列に整列され、その整列状態で各案内通路１７１〜１７３に対応する取込装置３０１〜３０３の入口通路３０５〜３０７に案内される。このとき、各案内通路１７１〜１７３の一部と入口通路３０５〜３０７の上方には透明なカバー部材１７５が取り付けられており、各案内通路１７１〜１７３及び入口通路３０５〜３０７を通じて流下する遊技球が容易に視認可能となっている。
【０１５３】
そして、取込ユニット１５３の各取込装置３０１〜３０３における遊技球取込時には、各取込装置３０１〜３０３の取込ゲート部材３２０が開放操作されて取込通路３１５を通じて遊技球が順次取り込まれる。該取り込まれた遊技球は、球通路形成体１５２に設けられた球排出室２１６→外部誘導通路２１７の順に流れて外部（遊技ホールの島設備）に排出される。また、排出ゲート部材３４０の操作による遊技球排出時（球抜き時）には、遊技球が、各取込装置３０１〜３０３の排出通路３１６→排出誘導通路２１８→排出口２０３の順に流れて最終的に下皿７１に排出される。
【０１５４】
一方、後述する払出装置等から遊技球分配部材２１０に遊技球が供給されると、該分配通路２１０に設けられた各通路２１１〜２１３による振り分けによって、遊技球が上皿１５１、下皿排出通路２０１、外部排出通路２０２のいずれかに分配される。
【０１５５】
（面替えブロック６の説明）
次に、面替えブロック６について説明する。図３６は面替えブロック６を斜め前方より見た斜視図、図３７は同面替えブロック６を斜め後方から見た斜視図、図３８は同面替えブロック６の正面図である。また、図３９，図４０は面替えブロック６の分解斜視図である。
【０１５６】
面替えブロック６は主要な構成として、合成樹脂製の前面枠５０１と、この前面枠５０１の背面側に取り付けられる金属製のベース板５０２と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施する表示制御装置５０６とを備えている。この場合、面替えブロック６は、本遊技機１の遊技内容を決定する主要部品を全て備える構成となっており、仮に遊技ホール等において機種入替を行う場合には、この面替えブロック６を現機種のものから新たな機種のものに入れ替えることで機種入替を行うことができるようになっている。すなわち、面替えブロック６は機種入替時などにおける交換ユニットとなっている。
【０１５７】
（前面枠５０１の説明）
前面枠５０１の詳細を図４１等を用いて説明する。図４１において、（ａ）は前面枠５０１を前方から見た斜視図、（ｂ）は前面枠５０１を後方から見た斜視図である。
【０１５８】
前面枠５０１は、正面から見てほぼ正方形状をなしており、周縁部に設けられたフランジ部５１１から前方に突出するようにして立体的に窓枠部５１２が形成されている。窓枠部５１２は、正面から見て略台形状に成形されており、これは前扉体１１の視認窓２１にほぼ一致する形状及び大きさとなっている。
【０１５９】
また、窓枠部５１２の前面部には、いずれも横長の矩形状をなす上下２つの開口が設けられており、それぞれ上側表示窓５１３、下側表示窓５１４となっている。各表示窓５１３，５１４は、窓枠部５１２の前面部において左右方向のほぼ中央部にそれぞれ設けられており、両者を比較すると下側表示窓５１４の方が大きめに形成されている。上側表示窓５１３は、液晶表示装置５０４による表示画像を表示するための液晶画像表示部に相当し、下側表示窓５１４は、リール装置５０３の外周に付されたリール図柄を表示するためのリール図柄表示部に相当する。
【０１６０】
窓枠部５１２の前面（すなわち前記表示窓５１３，５１４以外の部位）は概ね平坦面にて構成されている。ただし、窓枠部５１２において上側表示窓５１３の周囲部分と下側表示窓５１４の周囲部分とを比較すると、それらの設置角度は異なっており、上側表示窓５１３の周囲部分は概ね鉛直方向に設けられるのに対し、下側表示窓５１４の周囲部分は若干上方を向くようにして設けられている。こうした窓枠部５１２の前面角度は、前扉体１１の視認窓２１に設けられた透明パネル２２に即したものとなっている。したがって、面替えブロック６をドアブロック４に装着した状態を想定すると、上側表示窓５１３の周囲部分は透明パネル２２の上側パネル面２２ａと同様にはほぼ鉛直方向に設けられ、下側表示窓５１４の周囲部分は、同透明パネル２２の下側パネル面２２ｂと同様に若干上方を向くようにして設けられることとなる。
【０１６１】
面替えブロック６をドアブロック４に装着した状態では、前面枠５０１のフランジ部５１１がドアブロック４のパネル支持板材９２（図８参照）に当接する。ただしこのとき、前面枠５０１においてフランジ部５１１から窓枠部５１２の前面までの長さ（前後方向の幅）と、パネル支持板材９２の前後方向の長さとを比較すると、後者の方が大きいものとなっている。したがって、前記装着状態では、窓枠部５１２の前面と透明パネル２２との間に隙間ができるようになっている。
【０１６２】
窓枠部５１２とドアブロック４側の視認窓２１（透明パネル２２）とはほぼ同じ大きさを有するため、窓枠部５１２の前面領域Ｆ（すなわち前記表示窓５１３，５１４以外の部位）に本遊技機１に関わる各種情報や装飾等を付与すれば、その各種情報や装飾等を視認窓２１（透明パネル２２）を通じて遊技機前方から視認することができる。この場合、前述のとおり窓枠部５１２の前面領域Ｆは概ね平坦面であるため、この前面領域にシール等を貼付することも可能である。
【０１６３】
（ベース板５０２の説明）
次に、ベース板５０２の詳細を図４２等を用いて説明する。図４２において、（ａ）はベース板５０２を前方から見た斜視図、（ｂ）はベース板５０２を後方から見た斜視図である。
【０１６４】
ベース板５０２は、前記前面枠５０１とほぼ同じ大きさを有しており、該ベース板５０２には、各々矩形状をなす上下２つの開口部（上側開口部５２１，下側開口部５２２）が形成されている。このうち、上側開口部５２１は液晶表示装置５０４を装着するための開口であり、下側開口部５２２はリール装置５０３を装着するための開口である。そして、ベース板５０２は、各開口部５２１，５２２の側方部位で前記前面枠５０１への取り付けが行われる。なお、各開口部５２１，５２２は、前面枠５０１の各表示窓５１３，５１４にそれぞれ対応して設けられており、各表示窓５１３，５１４よりも一回り大きいものとなっている。
【０１６５】
ベース板５０２の背面側において、上下の各開口部５２１，５２２の間の開口縁部と下側開口部５２２の下側の開口縁部とにはそれぞれ、リール装置５０３を支持するための長尺状のリール支持部材５２５，５２６が設けられている。上側のリール支持部材５２５には左右２カ所に孔部５２５ａ，５２５ｂが設けられている。下側のリール支持部材５２６には左右２カ所に孔部５２６ａ，５２６ｂが設けられるとともに、後述するケース部材５４０の支持固定部５４６を載せるための返し部５２７が設けられている。
【０１６６】
ベース板５０２の背面側において左右両縁部にはそれぞれ角柱状の柱部５３１，５３２が取り付けられている。そのうち、背面側から見て右側の柱部５３１には支持金具５３３が取り付けられている。支持金具５３３には上下一対の支軸５３４ａ，５３４ｂが設けられている。支持金具５３３の支軸５３４ａ，５３４ｂは、面替えブロック６をドアブロック４に回動可能に支持するための支持手段を構成するものであり、この支軸５３４ａ，５３４ｂがドアブロック４に設けられた軸金具１１０，１１１の軸受け部１１０ｂ，１１１ａの軸孔（図８等参照）に差し入れられるようになっている。なお、ドアブロック４側の軸受け部１１０ｂ，１１１ａと面替えブロック６側の支軸５３４ａ，５３４ｂとが前記図６に示す「面替えブロック６用の支持手段Ｍ１，Ｍ２」に相当する。
【０１６７】
背面側から見て左側の柱部５３２には金具板５３５が取り付けられており、金具板５３５には上下一対の鉤部５３６ａ，５３６ｂが設けられている。この鉤部５３６ａ，５３６ｂは、面替えブロック６に対して払出ブロック７を固定するための固定手段として機能する。
【０１６８】
また、ベース板５０２の背面側には、上側開口部５２１と柱部５３１との間に外部端子板５３７が取り付けられている。
【０１６９】
（リール装置５０３の説明）
図４３は、リール装置５０３の構成を示す斜視図である。リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ該リール５４１〜５４３の一部を前方に現出させるものとなっている。ケース部材５４０において上面部の前側端部には、上方に折り曲げて形成された支持固定部５４５が設けられ、下面部の前側端部には、下方に折り曲げて形成された支持固定部５４６が設けられている。これら支持固定部５４５，５４６は、リール装置５０３をベース板５０２に取り付けるための取付手段を構成するものである。
【０１７０】
支持固定部５４５，５４６にはそれぞれ左右２カ所に孔部５４５ａ，５４５ｂ，５４６ａ，５４６ｂが設けられており、本リール装置５０３のベース板５０２への取り付け固定は、各孔部５４５ａ，５４５ｂ，５４６ａ，５４６ｂに挿通させたネジをベース板５０２の上下のリール支持部材５２５，５２６（孔部５２５ａ，５２５ｂ，５２６ａ，５２６ｂ）に螺着させることにより行われている。
【０１７１】
図３７等にて確認できるように、ケース部材５４０の上部には、リール装置５０３と主制御装置５０５などの制御系との電気的な接続を行うためのリール中継基板５４８が設置されている。また、ケース部材５４０の下部には、面替えブロック６を床等に置く場合に床等との接触部となる突起５４９が左右２カ所に設けられている。
【０１７２】
各リール５４１〜５４３の構成について周知であり、ここでは詳細な図示を省略するが、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【０１７３】
（主制御装置５０５等の説明）
次に、主制御装置５０５や表示制御装置５０６等の構成を図３９等を用いて説明する。
【０１７４】
主制御装置５０５は、ＣＰＵやメモリ等の電子部品が実装された主制御基板５６１と、この主制御基板５６１を収容するための略直方体形状のケース部材（ケース台５６２及びケースカバー５６３）とから構成されている。ケース台５６２及びケースカバー５６３は透明な合成樹脂材料にて成形されており、この透明なケース台５６２及びケースカバー５６３によってその内部の主制御基板５６１が視認可能となっている。ケース台５６２には、主制御装置５０５をベース板５０２に取り付けるための取付部５６４，５６５が図の上下２カ所に形成されている。
【０１７５】
なお、ケース台５６２及びケースカバー５６３には、これら各部材を連結する封印手段としての図示しない封印部（いわゆるカシメ部）が設けられている。封印部は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部の確認によって不正行為の発見が可能となっている。
【０１７６】
表示制御装置５０６は、ＣＰＵやメモリ等の電子部品が実装された表示制御基板５７１と、この表示制御基板５７１を収容するための略直方体形状のケース部材（ケース台５７２及びケースカバー５７３）とから構成されている。ケース台５７２及びケースカバー５７３は透明な合成樹脂材料にて成形されており、この透明なケース台５７２及びケースカバー５７３によってその内部の表示制御基板５７１が視認可能となっている。ケース台５７２には、表示制御装置５０６をベース板５０２に取り付けるための取付部５７４，５７５が図の左右２カ所に形成されている。
【０１７７】
液晶表示装置５０４は、液晶パネル５８１と、該液晶パネル５８１を駆動する液晶ドライバ５８２とにより構成されている。
【０１７８】
（面替えブロック６として完成状態の説明）
面替えブロック６の完成状態を図３６，図３７を用いてあらためて説明する。面替えブロック６としては、前面枠５０１とベース板５０２とを一体化させたものに、背後からリール装置５０３が取り付けられ、リール装置５０３の上方に液晶表示装置５０４が取り付けられている。また、リール装置５０３の側方に主制御装置５０５が取り付けられるとともに、同リール装置５０３の上方に表示制御装置５０６が取り付けられている。
【０１７９】
面替えブロック６において、前面枠５０１の上側表示窓５１３からは液晶パネル５８１のパネル面全体が視認できる。また、同前面枠５０１の下側表示窓５１４からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１４を通じて視認できるようになっている。
【０１８０】
（払出ブロック７の説明）
次に、払出ブロック７について説明する。図４４は払出ブロック７の斜視図、図４５は払出ブロック７の背面図である。
【０１８１】
払出ブロック７は、合成樹脂材料にて一体成形された裏カバー部材６０１と、遊技球を払い出すための払出機構６０２とが一体化されることにより構成されている。裏カバー部材６０１は、略平坦状のベース部６０３と、後方（遊技機１の後方）に突出し略直方体形状をなす保護カバー部６０４とを有する。保護カバー部６０４は左右及び上下の各面と背面とが閉鎖された形状をなし、少なくとも前記面替えブロック６のリール装置５０３を収容するのに十分な大きさを有する。なお図示は省略するが、保護カバー部６０４の背面には多数の通気孔が設けられている。
【０１８２】
払出機構６０２は、保護カバー部６０４を迂回するようにして裏カバー部材６０１のベース部６０３に取り付けられている。すなわち、裏カバー部材６０１の最上部には上方に開口したタンク６０５が設けられており、タンク６０５には遊技ホールの島設備から供給される遊技球が逐次補給される。タンク６０５の下方には、例えば横方向２列（２条）の球通路を有し下流側に向けて緩やかに傾斜するタンクレール６０６が連結され、タンクレール６０６の下流側には上下方向に延びるケースレール６０７が連結されている。
【０１８３】
払出装置６０８はケースレール６０７の最下流部に設けられ、受皿ブロック５に設けた払出制御装置１５７からの制御信号により払出モータ６０９が駆動されて必要個数の遊技球の払出が適宜行われる。払出装置６０８より払い出された遊技球は払出通路（図示略）等を通じて前記上皿１５１に供給される。図示は省略するが、ケースレール６０７の上流部には、タンク６０５やタンクレール６０６から供給される遊技球の有無を検出するタンク球無しセンサが設けられている。また、払出装置６０８には、払出モータ６０９の回転を検出する払出回転センサと、払い出される遊技球数をカウントする払出カウントスイッチとが設けられている。
【０１８４】
払出機構６０２には、払出制御装置１５７から払出装置６０８への払出指令の信号を中継する払出中継基板６１１が設置されている。その他、払出機構６０２には、外部より主電源を取り込むための電源スイッチ基板（図示略）が設置されている。
【０１８５】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０１８６】
裏カバー部材６０１には、背面側から見て右端部に上下一対の支軸６２１ａ，６２１ｂが設けられている。この支軸６２１ａ，６２１ｂは、払出ブロック７をドアブロック４に回動可能に支持するための支持手段を構成するものであり、この支軸６２１ａ，６２１ｂがドアブロック４に設けられた軸金具１１０，１１１の軸受け部１１０ａ，１１１ｂの軸孔（図８等参照）に差し入れられるようになっている。なお、ドアブロック４側の軸受け部１１０ａ，１１１ｂと払出ブロック７側の支軸６２１ａ，６２１ｂとが前記図６に示す「払出ブロック７用の支持手段Ｍ３，Ｍ４」に相当する。
【０１８７】
また、裏カバー部材６０１には、払出ブロック７を面替えブロック６に対して固定するための装着固定手段（ロック部材６２５ａ，６２５ｂ）が複数箇所に設けられるとともに、同払出ブロック７をドアブロック４に装着した状態で固定するための装着固定手段（ロック部材６２７ａ，６２７ｂ，６２７ｃ，６２７ｄ）が複数箇所に設けられている。
【０１８８】
すなわち、面替えブロック６用のロック部材６２５ａ，６２５ｂは、前記面替えブロック６に設けた金具板５３５の鉤部５３６ａ，５３６ｂ（図３７参照）に対応する位置に計２カ所設けられ、それぞれ各鉤部５３６ａ，５３６ｂに係止される係止片を有して構成されている。この場合、鉤部５３６ａ，５３６ｂに対して各ロック部材６２５ａ，６２５ｂの係止片を係止状態にすることで面替えブロック６に払出ブロック７が装着固定され、その係止状態を解除することで面替えブロック６から払出ブロック７が取り外しできるようになっている。
【０１８９】
また、ドアブロック４用のロック部材６２７ａ〜６２７ｄは、前記前扉体１１（ドアブロック４）の鉤金具１３７ａ〜１３７ｄ（図８参照）に対応する位置に計４カ所設けられ、それぞれ各鉤金具１３７ａ〜１３７ｄに係止される係止片を有して構成されている。この場合、鉤金具１３７ａ〜１３７ｄに対して各ロック部材６２７ａ〜６２７ｄの係止片を係止状態にすることでドアブロック４に払出ブロック７が装着固定され、その係止状態を解除することでドアブロック４から払出ブロック７が取り外しできるようになっている。
【０１９０】
（面替えユニット６の交換作業の説明）
上述したように、面替えブロック６は交換可能ユニットとなっており、ここでは遊技ホールでの機種入替時などにおける面替えブロック６の交換作業について説明する。
【０１９１】
まずは規定の操作キーを用いて外枠２に対するドアブロック４の施錠状態を解除し、ドアブロック４を手前側に開放する。このとき、ドアブロック４と共に面替えブロック６や払出ブロック７が一体動作する。これが図３に示す状態である。その後、払出ブロック７の裏カバー部材６０１に設けたロック部材６２７ａ〜６２７ｄを指等でアンロック状態に操作することで、ドアブロック４に対して面替えブロック６と払出ブロック７とを回動可能（開放動作可能）とし、更にロック部材６２５ａ，６２５ｂを指等でアンロック状態に操作することで、面替えブロック６に対して払出ブロック７を回動可能（開放動作可能）とする。この状態で面替えブロック６と払出ブロック７とを各々回動させると図４に示す状態となる。なおこの状態で、各ブロック間の電気配線等を適宜外しておく。
【０１９２】
そして、図４の状態で、面替えブロック６を上方に持ち上げるようにしてドアブロック４から取り外す。このとき、ドアブロック４側に設けられた軸金具１１０，１１１の軸受け部１１０ｂ，１１１ａから面替えブロック６側に設けられた支軸５３４ａ，５３４ｂが引き抜かれ、ドアブロック４から面替えブロック６が分離される。
【０１９３】
その後、新しい面替えブロック６を取り外し時と逆の作業手順で装着する。すなわち、新しい面替えブロック６をドアブロック４に取り付け、電気配線等の接続を適宜実行する。そして、面替えブロック６と払出ブロック７とを重ねた状態でロック部材６２５ａ，６２５ｂを指等でロック状態に操作する。また、面替えブロック６と払出ブロック７との一体物をドアブロック４に重ね、その状態でロック部材６２７ａ〜６２７ｄを指等でロック状態に操作する。最後にドアブロック４を外枠２に対して閉じると、遊技機１の入替が完了する。
【０１９４】
上記の面替えブロック６の交換作業に際し、操作キーによるドアブロック４の施錠解除以外は何ら特別な工具等を必要することはなく、交換作業の容易化が図られている。
【０１９５】
（電気的構成の説明）
次に、本遊技機１の電気的構成について、図４６のブロック図に基づいて説明する。図４６では、電気的な各構成要素を、ドアブロック４、受皿ブロック５、面替えブロック６及び払出ブロック７に区分けして示している。また、電源装置１５６から供給される電力の供給ラインを二重線矢印で示し、信号ラインを実線矢印で示す。
【０１９６】
図４６において、主制御装置５０５、表示制御装置５０６及び払出制御装置１５７は、何れもＣＰＵ、ＲＯＭ、ＲＡＭ等を有してなる論理演算装置にて構成されており、各制御装置のＣＰＵはＲＯＭ内に予め記憶されている演算プログラムに基づいて遊技に関する各種制御を実行する。これら各制御装置は、信号ラインや中継基板等を介して接続されており、遊技に際しては制御装置間におけるコマンド等の授受によって遊技の進行が行われる。
【０１９７】
詳しくは、面替えブロック６において、主制御装置５０５には、リール中継基板５４８を介してリール装置５０３と外部端子板５３７とが接続されるとともに、サブ中継基板７０１を介して表示制御装置５０６が接続されている。リール装置５０３では、主制御装置５０５からの指令に基づいて各リール５４１〜５４３の回転が制御される。外部端子板５３７は遊技ホール等に設置されるホール管理装置（いわゆる、ホールコンピュータ）に接続される中継装置であり、この外部端子板５３７を通じて都度の遊技状況（遊技回数、当り回数等々）がホール管理装置に出力される。表示制御装置５０６は、主制御装置５０５から毎遊技の補助演出に関する各種コマンドを入力し、そのコマンドに応じて液晶表示装置５０４による補助演出を実施するとともに、ドアブロック４に設けたドア上部中継基板７０３を介してスピーカ類やランプ類の駆動を制御する。
【０１９８】
図示等による説明は省略したが、本遊技機１には、外枠２に対して遊技機本体３（ドアブロック４）が開放されたことを検知するためのドアスイッチが設けられており、このドアスイッチの検出信号はリール中継基板５４８を介して主制御装置５０５に入力されるようになっている。
【０１９９】
なお、主制御装置５０５において、ＲＡＭの一部には本遊技機１の電源遮断後においても電源装置１５６からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１の状態が電源遮断前の状態に復帰できるようになっている。
【０２００】
また、受皿ブロック５には受皿ブロック中継基板７０２が設けられており、この受皿ブロック中継基板７０２を介して前記面替えブロック６の主制御装置５０５と、本受皿ブロック５の払出制御装置１５７や取込ユニット１５３とが接続されている。加えて、受皿ブロック中継基板７０２を介して前記面替えブロック６の主制御装置５０５と、ドアブロック４のドアブロック中継基板７０４とが接続されている。
【０２０１】
この場合、ドアブロック４の各種操作部材（ベットスイッチ３８、スタートレバー３３、ストップスイッチ３５〜３７）が遊技者により操作されると、これら操作部材に内蔵された操作検出部によって当該操作が検出され、都度の操作検出信号がドアブロック中継基板７０４及び受皿ブロック中継基板７０２を介して主制御装置５０５に入力される。例えば、ベットスイッチ３８の操作に伴う操作検出信号が主制御装置５０５に入力された場合、主制御装置５０５は、受皿ブロック中継基板７０２を介して取込ユニット１５３に取込制御信号を出力する。この取込制御信号によって取込ユニット１５３の各取込装置３０１〜３０３におけるソレノイド３２５が駆動され、遊技球の取込が順次行われる。遊技球取込時における遊技球取込検出センサ（センサユニット３７０、下流側取込センサ３８０）の検出信号は、やはり受皿ブロック中継基板７０２を介して主制御装置５０５に入力される。
【０２０２】
また、リール装置５０３の各リールの停止図柄（ドアブロック４の視認窓２１から視認できる上下３個分の図柄、及び各図柄の組み合わせ）が所定の遊技球払出役（小役図柄、ボーナス図柄）に合致する場合には、主制御装置５０５は、都度の成立役に応じて遊技球の払出個数を設定し、その払出個数に対応する払出制御信号を受皿ブロック中継基板７０２を介して払出制御装置１５７に出力する。これにより、払出制御装置１５７によって払出装置６０８（払出モータ６０９）が駆動され、遊技球の払出が行われる。
【０２０３】
なお、払出制御装置１５７において、ＲＡＭの一部には主制御装置５０５のＲＡＭと同様に、本遊技機１の電源遮断後においても電源装置１５６からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１の状態が電源遮断前の状態に復帰できるようになっている。
【０２０４】
図示は省略しているが、払出制御装置１５７には、ドアブロック４に設けた情報表示部５１の表示内容を管理する情報表示基板や、球貸しユニットから貸し出される遊技球の払出等を管理する球貸しユニット接続基板等が接続されている。
【０２０５】
電源装置１５６は外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置５０５や払出制御装置１５７等に対して供給する。
【０２０６】
（遊技の概略説明）
次に、上記構成の遊技機１について、遊技者により行われる遊技の概要を簡単に説明する。
【０２０７】
遊技の開始に際し、上皿１５１に遊技球が十分にある状況において遊技者によりベットスイッチ３８が押圧操作されると、取込ユニット１５３の各取込装置３０１〜３０３において各々遊技球の取込が行われる。そして、ベット数に対応する所定個数（例えば１５個）の遊技球の取込が完了した後、スタートレバー３３が操作されると、リール装置５０３の各リール５４１〜５４３が一斉に又は所定順序で回転し始める。このスタートレバー３３の操作時には、主制御装置５０５において小役、再遊技（リプレイ）、ボーナスゲーム等に関する内部抽選が行われる。各リール５４１〜５４３の回転時には、その外周面に付された図柄が視認窓２１を通じて上から下へと移動するような態様で視認される。
【０２０８】
その後、遊技者によりストップスイッチ３５〜３７が任意の順序で操作されると、各ストップスイッチ３５〜３７の操作タイミングに合わせて各々対応するリール５４１〜５４３の回転が停止される。このとき、各リール５４１〜５４３の停止時には、所定の図柄を特定位置に停止させるような引き込み停止制御が適宜実施される。例えば、内部抽選により小役等が成立している場合、その小役等が成立する停止図柄の組み合わせとなるように、ストップスイッチ３５〜３７の操作タイミングから最大４図柄分、停止図柄がスライド可能となっている（停止図柄のスベリが行われる）。ちなみに、各リール５４１〜５４３の回転開始後、ストップスイッチ３５〜３７の操作がなされないまま規定時間を経過した場合にはその時点で各リール５４１〜５４３の回転が停止される。
【０２０９】
各リール５４１〜５４３の停止時（図柄停止時）において、その停止図柄及びその組み合わせが小役図柄やボーナス図柄に合致する場合、その際の成立役に応じた数の遊技球が払い出される。この場合、払出装置６０８の駆動により上皿１５１に遊技球が払い出される。
【０２１０】
以上詳述した本実施の形態によれば、以下の優れた効果を奏する。
【０２１１】
ドアブロック４（内枠１２）の背面側に、面替えブロック６と払出ブロック７とを各々回動可能に支持するための各支持手段（軸受け部１１０ａ，１１０ｂ，１１１ａ，１１１ｂ）を同軸に設けたため、面替えブロック６と払出ブロック７とを各々回動させることができ、各ブロックに対するメンテナンス作業等が容易となる。この場合特に、それら各ブロック６，７を各々個別に回動（開閉動作）させることができることに加え、両ブロック６，７を一体化した状態でもその一体物を無理なく回動（開閉動作）させることができるため、種々の作業が行われる場合においてより一層好都合なものとなる。以上により、ドアブロック４の背面側に設けられる部品・装置類のメンテナンスや交換等の作業性向上を図ることができる。
【０２１２】
面替えブロック６を前側、払出ブロック７を後側に重ねて配する構成において、面替えブロック６用の支持手段（軸受け部１１０ｂ，１１１ａ）を間に挟むようにして払出ブロック７用の支持手段（軸受け部１１０ａ，１１１ｂ）を配置したため、各ブロックの回動（開閉動作）を実現するための構成が容易に具現できる。
【０２１３】
ドアブロック４に対して面替えブロック６と払出ブロック７とを各々着脱自在（工具等を用いることなく装着及び離脱が可能）としたため、これら各ブロックを装着した状態、又は取り外した状態でのメンテナンス作業等がいずれも可能となる。
【０２１４】
面替えブロック６には、リール装置５０３、液晶表示装置５０４、主制御装置５０５及び表示制御装置５０６といった、機種毎に固有性を有する構成要素がまとめて搭載されているため、これら各装置をひとまとめにして交換作業等を行うことができる。つまり、遊技ホール等における機種入替時には、面替えブロック６の交換を行うことで主要な機種入替作業が完了する。故に、遊技機１の機種入替を容易に実施することが可能となる。また、面替えブロック６以外は再使用が可能となるため、消費資源の削減等を図ることができる。
【０２１５】
なお、以上説明した実施の形態の他、例えば次のように実施してもよい。
【０２１６】
（ａ）上記実施の形態では、面替えブロック６用の支持手段を挟むようにして払出ブロック７用の支持手段を設けたが、これを変更する。図４７の模式図で説明する。なお、図４７では、ドアブロック４に面替えブロック６を取り付けるための支持手段をＳ１，Ｓ２とし、同ドアブロック４に払出ブロック７を取り付けるための支持手段をＳ３，Ｓ４としている。
【０２１７】
図４７において、（イ）は上記実施の形態で説明した構成を示しており、面替えブロック６用の支持手段Ｓ１，Ｓ２を挟むようにしてその上下に払出ブロック７用の支持手段Ｓ３，Ｓ４が設けられている。これに対し、（ロ）では前記（イ）とは逆に、払出ブロック７用の支持手段Ｓ３，Ｓ４を挟むようにしてその上下に面替えブロック６用の支持手段Ｓ１，Ｓ２が設けられている。また、（ハ）では、面替えブロック６用の支持手段Ｓ１，Ｓ２と払出ブロック７用の支持手段Ｓ３，Ｓ４とが交互に配置されている。ただし、ドアブロック４に対して面替えブロック６が内側、払出ブロック７が外側となるよう各ブロックの組付が行われることを考えると、（イ）の構成が最も簡易な実現手段であると考えられる。
【０２１８】
（ｂ）上記実施の形態では、ドアブロック４に面替えブロック６や払出ブロック７を回動可能に支持するための構成として、ドアブロック４側に計４個の軸受け部（軸受け部１１０ａ，１１０ｂ，１１１ａ，１１１ｂ）を設け、面替えブロック６及び払出ブロック７にそれぞれ２個ずつの支軸（支軸５３４ａ，５３４ｂ、支軸６２１ａ，６２１ｂ）を設けたが、この構成を以下の（ｂ−１）〜（ｂ−３）のように変更する。
【０２１９】
（ｂ−１）上記実施の形態とは逆に、ドアブロック４側に支軸（上方に突出する支軸）を設け、面替えブロック６及び払出ブロック７に軸受け部を設ける。
【０２２０】
（ｂ−２）ドアブロック４と面替えブロック６とに関する支持部、ドアブロック４と払出ブロック７とに関する支持部のそれぞれで、軸受け部（軸孔）と支軸との関係を相違させる（逆にする）。すなわち、ドアブロック４と面替えブロック６とに関する支持部では、ドアブロック４側に軸受け部（軸孔）、面替えブロック６側に支軸（下方に突出する支軸）を設ける一方（これは上記実施の形態と同様）、ドアブロック４と払出ブロック７とに関する支持部では、ドアブロック４側に支軸（上方に突出する支軸）、払出ブロック７側に軸受け部（軸孔）を設ける（もちろん、各支持部で軸受け部−支軸の関係を逆にすることも可能である）。かかる場合には特に、ドアブロック４において、面替えブロック６用の支持手段の形態と払出ブロック７用の支持手段の形態が異なるものとなり、ドアブロック４に対して面替えブロック６、払出ブロック７を各々個別に組み付ける際において、それらをドアブロック４のどの支持部材に組み付けるのかが容易に分かるようになる。故に、面替えブロック６や払出ブロック７の組み付け作業性が向上する。
【０２２１】
（ｂ−３）面替えブロック６用の支持手段と、払出ブロック７用の支持手段との数を相違させる。例えば、重量の重い方（ここでは面替えブロック６）の支持手段を３つ以上設ける。これにより、面替えブロック６と払出ブロック７のいずれかが重くなっても、当該ブロックを安定状態で保持できる。
【０２２２】
（ｃ）上記実施の形態では、電源装置１５６と払出制御装置１５７とを受皿ブロック５に搭載したが、これを変更し、これら電源装置１５６と払出制御装置１５７とを払出ブロック７に搭載する構成としても良い。
【０２２３】
（ｄ）遊技機１から下皿７１を無くし、上皿１５１のみを設ける構成とする。この場合、上皿１５１やその背後の払出通路等を大容量化することにより、遊技機１として十分量の遊技球が貯留保持できる。
【０２２４】
（ｅ）上記実施の形態では、面替えブロック６においてリール装置５０３と液晶表示装置５０４とを上下に並べて配置したが、この構成を変更し、その上下を入れ替えたり、上記の各装置を左右に並べたりしても良い。また、液晶表示装置５０４用の窓部（上側表示窓５１３）を、リール装置５０３の窓部（下側表示窓５０４）よりも大きくしても良い。すなわち、上記実施の形態よりも更に大型の液晶表示装置を搭載する。
【０２２５】
（ｆ）上記実施の形態では、補助演出装置として液晶表示装置を用いたが、これに代えて、ドットマトリックス、ＬＥＤ、エレクトロルミネセンス（ＥＬ）、蛍光表示管等の他の電気的表示装置や、前記リール装置５０３とは異なる第２のリール装置などを用いても良い。
【０２２６】
（ｇ）上記実施の形態におけるスタートレバー３３等に代表される操作手段や、獲得数表示部５３等に代表される情報表示手段の形態や配置はあくまでも一例に過ぎない。例えばスタートレバー３３を右側に配置したり、レバーに代えてボタンにしたりする等、適宜変更することは何ら差し支えない。
【０２２７】
（ｈ）主制御装置５０５と表示制御装置５０６とを一体化し、表示制御装置５０６の制御機能を主制御装置５０５に担わせる構成としても良い。またこれとは逆に、表示制御装置５０６における制御機能のうち、スピーカ類やランプ類の制御を別の制御装置に任せるようにしても良い。例えば、スピーカ類やランプ類を制御するための音声ランプ制御装置を新たに設け、制御分担を細分化する。
【０２２８】
（ｉ）上記実施の形態における遊技球の、１ベット当りの投入数（所定数）、最大投入数、払出個数等はあくまでも例示であって、上記数値に特に限定されるものではない。
【０２２９】
（ｊ）本遊技機１は、必ずしもパチンコ島に設置されるものでなくても良い。この場合、外枠を要件とせず、筐体等に遊技機本体３が支持される構成であっても良い。また、遊技球はパチンコ球に限られず、パチンコ規格以外の金属球であっても良い。金属球以外、例えばセラミック球であっても良い。
【図面の簡単な説明】
【０２３０】
【図１】一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】遊技機本体とその開閉動作の概要を模式的に示す図である。
【図７】ドアブロックと受皿ブロックとを分離して示す斜視図である。
【図８】ドアブロックと受皿ブロックとを分離して示す斜視図である。
【図９】ドアブロックを構成する前扉体と内枠とを分離して示す斜視図である。
【図１０】ドアブロックを構成する前扉体と内枠とを分離して示す斜視図である。
【図１１】受皿ブロックの正面図である。
【図１２】受皿ブロックの平面図である。
【図１３】受皿ブロックの背面図である。
【図１４】受皿ブロックの分解斜視図である。
【図１５】受皿ブロックの分解斜視図である。
【図１６】上皿とそれに付随して設けられる部材とを示す分解斜視図である。
【図１７】上皿の平面図である。
【図１８】排出操作伝達装置の構成を示す斜視図である。
【図１９】排出操作伝達装置の構成を示す平面図である。
【図２０】球通路形成体とそれに付随して設けられる部材とを示す分解斜視図である。
【図２１】球通路形成体とそれに付随して設けられる部材とを示す分解斜視図である。
【図２２】球留め装置の単体の構成を示す平面図である。
【図２３】球留め装置を球通路形成体に装着した状態を示す図である。
【図２４】球留め装置の操作状態と遊技球の流れとの関係を示す図である。
【図２５】取込ユニットの斜視図である。
【図２６】取込ユニットの斜視図である。
【図２７】取込ユニットの分解斜視図である。
【図２８】取込ユニットの分解斜視図である。
【図２９】取込装置の内部構造を示す断面図である。
【図３０】取込装置の分解斜視図である。
【図３１】取込装置の分解斜視図である。
【図３２】排出ゲート部材の構成を示す斜視図である。
【図３３】排出ゲート部材の動作を説明するための説明図である。
【図３４】取込装置の動作説明図である。
【図３５】払出制御ユニットの分解斜視図である。
【図３６】面替えブロックの斜視図である。
【図３７】面替えブロックの斜視図である。
【図３８】面替えブロックの正面図である。
【図３９】面替えブロックの分解斜視図である。
【図４０】面替えブロックの分解斜視図である。
【図４１】前面枠の構成を示す斜視図である。
【図４２】ベース板の構成を示す斜視図である。
【図４３】リール装置の構成を示す斜視図である。
【図４４】払出ブロックの斜視図である。
【図４５】払出ブロックの背面図である。
【図４６】遊技機の電気的構成を説明するためのブロック図である。
【図４７】ドアブロックに対する面替えブロックと払出ブロックの支持構成に関して別の形態を示す図である。
【符号の説明】
【０２３１】
１…遊技機、２…外枠、４…ドアブロック、５…受皿ブロック、６…面替えブロック、７…払出ブロック、９…支持金具、１１…前扉体、１２…内枠、２１…視認窓、３３…スタートレバー、３５〜３７…ストップスイッチ、１１０，１１１…軸金具、１１０ａ，１１０ｂ，１１１ａ，１１１ｂ…軸受け部、５０２…ベース板、５０３…リール装置、５０４…液晶表示装置、５０５…主制御装置、５０６…表示制御装置、６０１…裏カバー部材、６０２…払出機構、６０４…保護カバー部、６０８…払出装置。
【図１】
2006346491.tif 000003
【図２】
2006346491.tif 000004
【図３】
2006346491.tif 000005
【図４】
2006346491.tif 000006
【図５】
2006346491.tif 000007
【図６】
2006346491.tif 000008
【図７】
2006346491.tif 000009
【図８】
2006346491.tif 000010
【図９】
2006346491.tif 000011
【図１０】
2006346491.tif 000012
【図１１】
2006346491.tif 000013
【図１２】
2006346491.tif 000014
【図１３】
2006346491.tif 000015
【図１４】
2006346491.tif 000016
【図１５】
2006346491.tif 000017
【図１６】
2006346491.tif 000018
【図１７】
2006346491.tif 000019
【図１８】
2006346491.tif 000020
【図１９】
2006346491.tif 000021
【図２０】
2006346491.tif 000022
【図２１】
2006346491.tif 000023
【図２２】
2006346491.tif 000024
【図２３】
2006346491.tif 000025
【図２４】
2006346491.tif 000026
【図２５】
2006346491.tif 000027
【図２６】
2006346491.tif 000028
【図２７】
2006346491.tif 000029
【図２８】
2006346491.tif 000030
【図２９】
2006346491.tif 000031
【図３０】
2006346491.tif 000032
【図３１】
2006346491.tif 000033
【図３２】
2006346491.tif 000034
【図３３】
2006346491.tif 000035
【図３４】
2006346491.tif 000036
【図３５】
2006346491.tif 000037
【図３６】
2006346491.tif 000038
【図３７】
2006346491.tif 000039
【図３８】
2006346491.tif 000040
【図３９】
2006346491.tif 000041
【図４０】
2006346491.tif 000042
【図４１】
2006346491.tif 000043
【図４２】
2006346491.tif 000044
【図４３】
2006346491.tif 000045
【図４４】
2006346491.tif 000046
【図４５】
2006346491.tif 000047
【図４６】
2006346491.tif 000048
【図４７】
2006346491.tif 000049